(57)【要約】  【課題】  放射線撮影システムの検査において、画像の定量評価及び目視評価の両方を簡便かつ低コストで行うと共に、放射線撮影システムの不変性評価の精度を上げることができるファントム等を提供する。  【解決手段】  このファントムは、放射線撮影システムを用いてファントムを撮影することによって得られた放射線画像を、少なくとも１つの画質評価項目について評価することにより、放射線撮影システムを検査するために用いられるファントムであって、基板と、該基板上に配置され、所定の画質評価項目について、目視評価に用いられる第１の画質評価用パターンが形成されている第１の部材と、上記基板上に配置され、上記所定の画質評価項目について、定量評価に用いられる第２の画質評価用パターンが形成されている第２の部材とを含む。【選択図】  図３
2004298617.tif 000002
【特許請求の範囲】
【請求項１】
放射線撮影システムを用いてファントムを撮影することによって得られた放射線画像を、少なくとも１つの画質評価項目について評価することにより、前記放射線撮影システムを検査するために用いられるファントムであって、
基板と、
前記基板上に配置され、所定の画質評価項目について、目視評価に用いられる第１の画質評価用パターンが形成されている第１の部材と、
前記基板上に配置され、前記所定の画質評価項目について、定量評価に用いられる第２の画質評価用パターンが形成されている第２の部材と、
を具備するファントム。
【請求項２】
前記所定の画質評価項目が前記放射線画像の鮮鋭度である場合に、前記第１の画質評価用パターンが、異なるワイヤ間隔を有する複数種類のワイヤメッシュによって形成されているワイヤメッシュパターンと、バーバターンと、放射状パターンとの内の少なくとも１つを含み、
前記所定の画質評価項目が前記放射線画像の鮮鋭度である場合に、前記第２の画質評価用パターンが、エッジパターンと、スリットパターンと、矩形波パターンとの内の少なくとも１つを含む、
請求項１記載のファントム。
【請求項３】
前記所定の画質評価項目が前記放射線画像のコントラスト分解能である場合に、前記第１の画質評価用パターンが、大きさと厚さとの内の少なくとも一方が異なる複数の部材によって構成されているバーガファントムを含む、請求項１記載のファントム。
【請求項４】
前記基板に、前記放射線画像のＳ／Ｎ比を定量評価するために用いられる空き領域が形成されている、請求項１記載のファントム。
【請求項５】
前記所定の画質評価項目が前記放射線画像の縮率である場合に、前記第２の画質評価用パターンが、スケールパターンを含む、請求項１記載のファントム。
【請求項６】
前記所定の画質評価項目が前記放射線画像の線形性又はダイナミックレンジである場合に、前記第１及び第２の画質評価用パターンが、厚さの異なる複数の金属板によって形成されているステップ状パターンを含む、請求項１記載のファントム。
【請求項７】
前記基板が前記第１及び第２の部材を格納するケースの一部を構成し、前記ケースをカバーする蓋をさらに具備する請求項１〜６のいずれか１項記載のファントム。
【請求項８】
放射線撮影システムを用いてファントムを撮影することによって得られた放射線画像を、少なくとも１つの画質評価項目について評価することにより、前記放射線撮影システムを検査するために用いられるファントムであって、
基板と、
前記基板上に配置され、所定の画質評価項目のために用いられる画質評価用パターンが形成されている少なくとも１つの部材と、
前記基板上の互いに異なる複数の位置にそれぞれ配置された複数のマーカであって、前記放射線画像における前記画質評価用パターンの位置を検出するために用いられる前記複数のマーカと、
を具備するファントム。
【請求項９】
前記複数のマーカが、前記ファントムの他の領域と異なる放射線透過率を有する、請求項８記載のファントム。
【請求項１０】
前記複数のマーカが、前記画質評価用パターンとは異なる形状を有する、請求項８又は９記載のファントム。
【請求項１１】
前記複数のマーカが、少なくとも３つのマーカを含む、請求項８〜１０のいずれか１項記載のファントム。
【請求項１２】
放射線撮影を行うことによって放射線画像情報を記録媒体に記録し、該記録媒体から放射線画像情報を読み取ることによって画像データを生成し、該画像データに所定の画像処理を施すことによって放射線画像を表示又は出力する放射線撮影システムを用いることによって得られた放射線画像の画質を評価することにより、前記放射線撮影システムを検査する医用画像処理装置であって、
入力された画像データに画像処理を施す画像処理手段と、
所定の画質評価項目についての複数の画質評価用パターンが配置されたファントムを撮影することによって得られた放射線画像を表す画像データが入力された場合に、入力された画像データに関して、前記所定の画質評価項目についての計測を行う計測手段と、
表示又は出力された放射線画像を目視することによって前記所定の画質評価項目について得られた検査結果を入力するために用いられる入力手段と、
前記計測手段における計測結果と前記入力手段を用いて入力された検査結果とに基づいて前記放射線画像の画質を判定する判定手段と、
を具備する医用画像処理装置。
【請求項１３】
入力された画像データに基づいて、前記放射線画像における前記ファントムの位置を検出する位置検出手段をさらに具備する請求項１２記載の医用画像処理装置。
【請求項１４】
前記位置検出手段が、前記ファントムの互いに異なる位置にそれぞれ配置された複数のマーカの画像を検出することにより、前記放射線画像における前記ファントムの位置を検出する、請求項１３記載の医用画像処理装置。
【請求項１５】
前記複数のマーカが、少なくとも３つのマーカを含む、請求項１４記載の医用画像処理装置。
【請求項１６】
所定の画質評価項目について目視評価に用いられる画質評価用パターンと定量評価に用いられる画質評価用パターンとが配置されたファントムを放射線撮影することによって得られた放射線画像を表す画像データが入力された場合に、前記所定の画質評価項目についての定量評価に基づく判定結果を、前記放射線画像と併せて表示するように制御する制御手段をさらに具備する請求項１２〜１５のいずれか１項記載の医用画像処理装置。
【請求項１７】
前記放射線画像が撮影されたときの撮影条件と、前記放射線画像情報が前記記録媒体から読み取られたときの画像読取条件と、入力された画像データに前記画像処理手段によって画像処理が施されるときの画像処理条件と、前記放射線画像が表示されるときの表示条件との内の少なくとも１つを、前記放射線画像と併せて表示するように制御する制御手段をさらに具備する、請求項１２〜１６のいずれか１項記載の医用画像処理装置。
【請求項１８】
前記計測手段における計測結果と前記入力手段を用いて入力された検査結果を記録する記録手段をさらに具備する請求項１２〜１７のいずれか１項記載の医用画像処理装置。
【請求項１９】
放射線撮影システムを用いることによって得られた放射線画像の画質を評価することにより、前記放射線撮影システムの検査を行う医用画像処理装置であって、
少なくとも１つの画質評価項目についての画質評価用パターンが配置されていると共に、複数のマーカが互いに異なる複数の位置にそれぞれ配置されているファントムを、前記放射線撮影システムを用いて撮影することにより得られた放射線画像を表す画像データが入力された場合に、前記放射線画像における前記ファントムの位置を、前記複数のマーカを用いて検出する位置検出手段と、
前記位置検出手段によって検出された前記ファントムの位置と、前記放射線画像における前記ファントムの基準位置とを比較することにより、直線方向及び回転方向のずれ量を算出する比較演算手段と、
所定の画質評価項目について計測される前記放射線画像内の領域であるサーチ領域を、前記比較演算手段によって算出されたずれ量に基づいて変更するサーチ領域変更手段と、
前記サーチ領域変更手段によって変更されたサーチ領域において、前記所定の画質評価項目についての計測を行うことにより、前記放射線画像の特性を表す物理量を算出する物理量算出手段と、
前記放射線画像の画質を判定するために用いられる判定基準を、前記比較演算手段によって算出されたずれ量に基づいて変更する判定基準変更手段と、
前記判定基準変更手段によって変更された判定基準に基づいて、前記物理量算出手段によって算出された前記物理量を用いて前記放射線画像の画質を判定する判定手段と、
を具備する医用画像処理装置。
【請求項２０】
放射線撮影システムを用いることによって得られた放射線画像の画質を評価することにより、前記放射線撮影システムの検査を行う医用画像処理装置であって、
少なくとも１つの画質評価項目についての画質評価用パターンが配置されていると共に、複数のマーカが互いに異なる複数の位置にそれぞれ配置されているファントムを、前記放射線撮影システムを用いて撮影することにより得られた放射線画像を表す画像データが入力された場合に、前記放射線画像における前記ファントムの位置を、前記複数のマーカを利用することによって検出する位置検出手段と、
前記位置検出手段によって検出された前記ファントムの位置を、前記放射線画像における前記ファントムの基準位置と比較することにより、直線方向及び回転方向のずれ量を算出する比較演算手段と、
前記比較演算手段によって算出されたずれ量が低減されるように、前記放射線画像における前記ファントムの位置を補正する画像補正手段と、
前記画像補正手段によって位置を補正された前記ファントムの画像に関して、所定の画質評価項目についての計測を行うことにより、前記放射線画像の特性を表す物理量を算出する物理量算出手段と、
前記物理量算出手段によって算出された前記物理量に基づいて、前記放射線画像の画質を判定する判定手段と、
を具備する医用画像処理装置。
【請求項２１】
前記判定手段が、前記放射線画像に画質の異常が存在すると判定した場合に、その旨をメンテナンスセンタに通知するように制御する制御手段をさらに具備する請求項１２〜２０のいずれか１項記載の医用画像処理装置。
【請求項２２】
放射線撮影システムを用いることによって得られた放射線画像の画質を評価することにより、前記放射線撮影システムの検査を行う方法であって、
少なくともリニアリティ、鮮鋭度、縮率の計測を含む画質評価項目についての複数の画質評価用パターンが配置されたファントムを放射線撮影することによって得られた放射線画像を表す画像データを入力するステップ（ａ）と、
ステップ（ａ）において入力された画像データに基づいて、前記放射線画像における前記ファントムの位置を検出するステップ（ｂ）と、
ステップ（ａ）において入力された画像データに基づいて、前記ファントムの画像について、少なくともリニアリティ、鮮鋭度、縮率の計測を含む画質評価項目についての計測を行うステップ（ｃ）と、
ステップ（ｃ）において計測された計測結果に基づいて、前記放射線画像の画質を判定するステップ（ｄ）と、
を具備する放射線撮影システムの検査方法。
【請求項２３】
ステップ（ｄ）が、ステップ（ｃ）における計測結果を、過去の計測結果と比較することにより画質の判定を行うことを含む、請求項２２記載の放射線撮影システムの検査方法。
【請求項２４】
放射線撮影を行うことによって放射線画像情報を記録媒体に記録し、該記録媒体から放射線画像情報を読み取ることによって画像データを生成し、該画像データに所定の画像処理を施すことにより、放射線画像を表示又は出力する放射線撮影システムを用いることによって得られた放射線画像の画質を評価することにより、前記放射線撮影システムを検査する方法であって、
所定の画質評価項目について目視評価に用いられる画質評価用パターンと定量評価に用いられる画質評価用パターンとが配置されたファントムを放射線撮影することによって得られた放射線画像を表す画像データを入力するステップ（ａ）と、
ステップ（ａ）において入力された画像データに関して、前記所定の画質評価項目についての定量的な計測を行うステップ（ｂ）と、
ステップ（ａ）において入力された画像データに基づいて放射線画像を表示又は出力すると共に、表示又は出力された放射線画像を目視することにより、前記所定の画質評価項目についての検査を行うステップ（ｃ）と、
ステップ（ｂ）において計測された計測結果と、ステップ（ｃ）において検査された検査結果とに基づいて、前記放射線画像の画質を判定するステップ（ｄ）と、
を具備する放射線撮影システムの検査方法。
【請求項２５】
ステップ（ｃ）が、ステップ（ｂ）において計測された計測結果に基づく定量評価の結果を、前記放射線画像と共に表示することを含む、請求項２４記載の放射線撮影システムの検査方法。
【請求項２６】
前記放射線撮影が行われたときの撮影条件と、前記記録媒体から放射線画像情報が読み取られたときの画像読取条件と、入力された画像データに画像処理が施されたときの画像処理条件と、前記放射線画像が表示されるときの表示条件との内の少なくとも１つを、前記放射線画像と併せて表示するステップをさらに具備する請求項２４又は２５記載の放射線撮影システムの検査方法。
【請求項２７】
ステップ（ｄ）において放射線画像に画質の異常が存在すると判定された場合に、その旨をメンテナンスセンタに通知するステップをさらに具備する請求項２２〜２６のいずれか１項記載の放射線撮影システムの検査方法。
【請求項２８】
放射線撮影システムを用いることによって得られた放射線画像の画質を評価することにより、前記放射線撮影システムの検査を行う方法であって、
少なくとも１つの画質評価項目についての画質評価用パターンが配置されていると共に、複数のマーカが互いに異なる複数の位置にそれぞれ配置されているファントムを、放射線撮影することによって得られた放射線画像を表す画像データを入力するステップ（ａ）と、
ステップ（ａ）において入力された画像データに基づいて、前記放射線画像における前記ファントムの位置を、前記複数のマーカを用いて検出するステップ（ｂ）と、
ステップ（ｂ）において検出された前記ファントムの位置と、前記放射線画像における前記ファントムの基準位置とを比較することにより、直線方向及び回転方向のずれ量を算出するステップ（ｃ）と、
所定の画質評価項目について計測される前記放射線画像内の領域であるサーチ領域を、ステップ（ｃ）において算出されたずれ量に基づいて変更するステップ（ｄ）と、
ステップ（ｄ）において変更されたサーチ領域において、前記画質評価項目についての計測を行うことにより、前記放射線画像の特性を表す物理量を算出するステップ（ｅ）と、
前記放射線画像の画質を判定するために用いられる判定基準を、ステップ（ｃ）において算出されたずれ量に基づいて変更するステップ（ｆ）と、
ステップ（ｆ）において変更された判定基準に基づいて、ステップ（ｅ）において算出された前記物理量を用いて前記放射線画像の画質を判定するステップ（ｇ）と、
を具備する放射線撮影システムの検査方法。
【請求項２９】
ステップ（ｇ）において、放射線画像に画質の異常が存在すると判定された場合に、その旨をメンテナンスセンタに通知するステップをさらに具備する請求項２８記載の放射線撮影システムの検査方法。
【請求項３０】
放射線撮影システムを用いることによって得られた放射線画像の画質を評価することにより、前記放射線撮影システムの検査を行う方法であって、
少なくとも１つの画質評価項目についての画質評価用パターンが配置されていると共に、複数のマーカが互いに異なる複数の位置にそれぞれ配置されているファントムを、放射線撮影することによって得られた放射線画像を表す画像データを入力するステップ（ａ）と、
ステップ（ａ）において入力された画像データに基づいて、前記放射線画像における前記ファントムの位置を、前記複数のマーカを用いて検出するステップ（ｂ）と、
ステップ（ｂ）において検出された前記ファントムの位置と、前記放射線画像における前記ファントムの基準位置とを比較することにより、直線方向及び回転方向のずれ量を算出するステップ（ｃ）と、
ステップ（ｃ）において算出されたずれ量が低減されるように、前記放射線画像における前記ファントムの位置を補正するステップ（ｄ）と、
ステップ（ｄ）において位置を補正された前記ファントムの画像に関して、所定の画質評価項目についての計測を行うことにより、前記放射線画像の特性を表す物理量を算出するステップ（ｅ）と、
ステップ（ｅ）において算出された前記物理量に基づいて、前記放射線画像の画質を判定するステップ（ｆ）と、
を具備する放射線撮影システムの検査方法。
【請求項３１】
ステップ（ｆ）において、放射線画像に画質の異常が存在すると判定された場合に、その旨をメンテナンスセンタに通知するステップをさらに具備する請求項３０記載の放射線撮影システムの検査方法。
【発明の詳細な説明】
【技術分野】
【０００１】
本発明は、放射線画像が記録されたシートから画像情報を読み取る画像読取装置を含む放射線撮影システムの品質を検査する放射線撮影システムの検査方法及びそのような検査方法を用いた医用画像処理装置に関する。また、本発明は、そのような放射線撮影システムの検査の際に放射線画像の画質管理のために用いられるファントムに関する。
なお、本願において、放射線とは、Ｘ線、α線、β線、γ線、紫外線等の一般的な放射線に加えて、電子線等の粒子線や電磁波を含む広義の放射線を指すものとする。
【背景技術】
【０００２】
従来より、放射線（Ｘ線、α線、β線、γ線、電子線、紫外線等）を用いた撮影方法は様々な分野で利用されており、特に医療分野においては、診断のための最も重要な手段の一つとなっている。最初のＸ線写真が実現されてから、Ｘ線写真法は数々の改良を重ねられ、現在では蛍光スクリーンとＸ線フィルムを組み合わせた方法が主流となっている。一方、近年においては、Ｘ線ＣＴや超音波、ＭＲＩ等の様々なディジタル化された装置が実用化されており、病院内での診断情報処理システム等の構築が進められようとしている。Ｘ線画像についてもディジタル化するための多くの研究がなされており、輝尽性蛍光体を用いた放射線撮影方法が確立され、従来のＸ線写真法に置き換わるものとして注目されている。
【０００３】
輝尽性蛍光体（蓄積性蛍光体）とは、放射線を照射されることにより、その放射線エネルギーの一部を蓄積し、その後、可視光等の励起光を照射されることにより、蓄積しているエネルギーに応じて輝尽発光する物質であり、その存在は従来から知られていた。これを用いた放射線撮影方法とは、次のようなものである。即ち、まず、画像撮影装置を用いて、輝尽性蛍光体を塗布したシートに人体等の被写体の放射線画像を撮影記録する。次に、画像読取装置を用いて、その輝尽性蛍光体シートをレーザ光等の励起光で走査し、これによって生じた輝尽発光光を、画像読取装置のフォトマルチプライヤ（光電子増幅管）によって光電的に読み取る。このようにして得られたアナログの画像信号に基づいて、ディジタルの画像データを得る。さらに、医用画像処理装置を用いて、この画像データを適切に処理した後に、ＣＲＴ等のディスプレイに出力したり、レーザプリンタ等によりフィルムに印刷する。これにより、被検体を透過した放射線のエネルギーレベルが濃淡によって可視化された放射線画像を得ることができる。
【０００４】
ところで、このような放射線画像を医療診断等に利用する際には、放射線撮影システムの信頼性が高く保証されている必要があり、そのために、放射線撮影システムの性能を随時測定して検証しなければならない。輝尽性蛍光体シートや画像読取装置を含む放射線撮影システムのいずれかが劣化したり、異常を生じると、正常な放射線画像を得ることができなくなり、画像を解析する際の信頼性が損なわれるからである。また、高レベルの放射線エネルギーの照射は人体に悪影響を与えるので、放射線撮影システムの性能の検証は、安全面においても重要である。
【０００５】
特許文献１には、筐体の開閉部材が開かれていても、光電読取手段に悪影響を及ぼすことを防止し、かつ、メンテナンス作業者が誤ってメンテナンス中に規定レベル以上の励起光を照射されるのを防止し、しかも、開閉部材が開かれている状態においても、シートの搬送状況を確認する等のテストを実行できるようにする放射線画像読取装置が開示されている。
【０００６】
特許文献１に記載されている放射線画像読取装置は、予めテスト用画像信号を用意し、そのテスト用画像信号に基づいて、画像データを生成する。しかしながら、この放射線画像読取装置においては、輝尽発光光の発生から、輝尽発光光によって表される画像信号に基づいて画像データを生成するまでの過程におけるテストを行うことができない。
【０００７】
また、特許文献２〜５には、放射線画像撮影装置の異常を容易に検出するための検査方法が開示されている。特許文献２に開示されている検査方法においては、輝尽性蛍光体ディテクタ（シート）の全面について一様に紫外線光を照射し、輝尽性蛍光体ディテクタに励起光を照射することによって生じた輝尽性発光光を光電増幅することが行われている。しかしながら、この検査方法によれば、出力画像の濃度を示すＳ値、濃度の均一性、及び、粒状性等の限られた項目しか検査できない。
【０００８】
特許文献３には、被写体を撮影したときの画像データを用いるので、検査のためにあらためて撮影をする必要がない検査方法が開示されている。また、特許文献４には、非照射部分の間隔が広狭に変化するように変調した励起光を輝尽性蛍光体ディテクタ（シート）に照射し、輝尽性蛍光体ディテクタからの読み取り信号（画像信号）と励起光の変調状態とがどれだけ異なっているかを数値的に算出する検査方法が開示されている。しかしながら、これらの検査方法によれば、Ｓ値や解像度等の限られた項目しか検査できない。
【０００９】
特許文献５に開示されている検査方法においては、輝尽性蛍光体ディテクタ（シート）に隣接する位置に設けられた光源から照射される青色光の試験光を集光ユニットでフォトマルチプライヤに導き、フォトマルチプライヤを用いて光電増幅することが行われている。しかしながら、この検査方法によれば、集光ユニット等の限られた項目しか検査できない。
【００１０】
そのため、放射線画像読取装置を含む放射線撮影システムを効率的に検査できる方法が望まれている。
ところで、放射線撮影システムを検査する際には、物理ファントムや身体模倣ファントムが使用される。例えば、特許文献６には、ディジタルＸ線透視及び撮影システムにおける像品質の自動的な監視及び評価のための像品質試験ファントム並びに方法が開示されている。
【００１１】
物理ファントム（ＱＣファントムとも呼ばれる。）とは、放射線の吸収係数が既知の金属や樹脂等の材料を用いて作製された種々の部材を、基板上に配置したものである。これらの部材は、所定の大きさや、形状や、密度や、組成等を有しており、画質評価用パターンとして用いられる。これらの画質評価用パターンは、放射線撮影システムに関する１つ又は複数の画質評価項目を測定できるように設計されている。
【００１２】
このようなＱＣファントムにＸ線等の放射線を照射することによって放射線撮影を行い、ＱＣファントムの放射線画像情報を輝尽性蛍光体シート等の記録媒体に記録する。この記録媒体に所定の処理を施すことにより、放射線画像を生成し、ＣＲＴモニタ等に表示する。この放射線画像を、所定の画像評価項目に基づいて解析することにより、放射線撮影システムの種々の性能パラメータの不変性が評価され、それによって放射線撮影システムの品質検査が行われる。
【００１３】
性能パラメータの不変性の評価は、定量評価や目視評価によって行われる。定量評価とは、ディジタルデータの演算処理を含む処理によって定量的に評価される検査のことをいう。また、目視評価とは、上記の定量評価以外の方法によって行われる検査のことをいい、例えば、オペレータが放射線画像を目視することによって評価する検査のことをいう。これらの検査の内、目視評価は、比較的簡単に行うことができるが、作業者の主観に依存するため、客観性に乏しい。一方、定量評価は、客観的な評価が期待できる反面、作業に多くの労力を要する。一般的に、目視評価が毎週行われるのに対して定量評価は３ヶ月に１度程度行われる等、目視評価は定量評価に比較して頻繁に実施されている。また、不変性評価を大規模な施設で行う場合には、１０台以上の読取装置が設置されている場合も多いことから、効率的な作業が要求されている。
【００１４】
しかしながら、一般的なＱＣファントムは、１つの画質評価項目について、目視評価と定量評価との両方を行うことができるように設計されたものではない。そのため、例えば、目視評価の後で画質パラメータの客観的な測定結果を必要とする場合には、定量評価専用のファントムを新たに設置して、放射線撮影からやり直さなければならない。即ち、目視評価又は定量評価のいずれを行うかに応じて、専用のファントムに変更する必要があるため、放射線撮影システムの検証作業が煩雑化し、多くの労力及び時間が必要になってしまう。
【００１５】
また、目視評価と定量評価とを別々のファントムを用いて行う場合には、両者の測定結果を比較して検討することが難しいので、目視評価の結果をより客観的な視点で評価することができない。そのため、正確な不変性評価を期待することができないので、評価の信頼性を確保できないという問題が生じている。さらに、目視評価用及び定量評価用の２つのファントムが必要になるので、コストが高くなり、経済的でないという問題も存在する。
【００１６】
さらに、検査精度の信頼性を確保するためには、撮影時に、記録媒体の基準位置や検査対象領域に対応する位置にＱＣファントムを設置することにより、放射線画像内の適正基準領域にＱＣファントムの画像が表示されることが必要である。そのため、ＱＣファントムが適切な位置からずれて設置された場合には、ＱＣファントムの画像が放射線画像内の適正基準領域に表示されないので、ＱＣファントムの位置を修正して撮影をやり直さなければならない。これにより、検査作業の中断や煩雑化を招くので、検査作業の自動化が著しく妨げられてしまうという問題も生じている。
【特許文献１】特開２０００−２７５７５８号公報（第６〜８頁、図１）
【特許文献２】特開２００２−２７７９９２号公報（第４〜５頁、図３）
【特許文献３】特開２００２−２７７９９３号公報（第３〜４頁、図３）
【特許文献４】特開２００２−２７７９９５号公報（第３〜４頁、図４）
【特許文献５】特開２００２−２７８００４号公報（第４〜５頁、図３）
【特許文献６】特開平１１−４８２２号公報
【発明の開示】
【発明が解決しようとする課題】
【００１７】
そこで、上記の点に鑑み、本発明は、放射線画像の定量評価及び目視評価の両方を簡便かつ低コストで行うと共に、放射線撮影システムの不変性評価の精度を上げることを第１の目的とする。また、本発明は、放射線撮影システムの検査を行う際に、１回の撮影によって得られた放射線画像を用いて詳細な項目まで検査できるようにすることを第２の目的とする。さらに、本発明は、放射線撮影システムの検査を行う際に、ファントムの設置位置に影響されることなく、検査精度の信頼性を確保すると共に、検査作業の自動化を促進することを第３の目的とする。
【課題を解決するための手段】
【００１８】
上記課題を解決するため、本発明の第１の観点に係るファントムは、放射線撮影システムを用いてファントムを撮影することによって得られた放射線画像を、少なくとも１つの画質評価項目について評価することにより、放射線撮影システムを検査するために用いられるファントムであって、基板と、該基板上に配置され、所定の画質評価項目について、目視評価に用いられる第１の画質評価用パターンが形成されている第１の部材と、基板上に配置され、所定の画質評価項目について、定量評価に用いられる第２の画質評価用パターンが形成されている第２の部材とを具備する。
【００１９】
本発明の第２の観点に係るファントムは、放射線撮影システムを用いてファントムを撮影することによって得られた放射線画像を、少なくとも１つの画質評価項目について評価することにより、放射線撮影システムを検査するために用いられるファントムであって、基板と、該基板上に配置され、所定の画質評価項目のために用いられる画質評価用パターンが形成されている少なくとも１つの部材と、基板上の互いに異なる複数の位置にそれぞれ配置された複数のマーカであって、上記放射線画像における画質評価用パターンの位置を検出するために用いられる複数のマーカとを具備する。
【００２０】
本発明の第１の観点に係る医用画像処理装置は、放射線撮影を行うことによって放射線画像情報を記録媒体に記録し、該記録媒体から放射線画像情報を読み取ることによって画像データを生成し、該画像データに所定の画像処理を施すことによって放射線画像を表示又は出力する放射線撮影システムを用いることによって得られた放射線画像の画質を評価することにより、放射線撮影システムを検査する医用画像処理装置であって、入力された画像データに画像処理を施す画像処理手段と、所定の画質評価項目についての複数の画質評価用パターンが配置されたファントムを撮影することによって得られた放射線画像を表す画像データが入力された場合に、入力された画像データに関して、所定の画質評価項目についての計測を行う計測手段と、表示又は出力された放射線画像を目視することによって所定の画質評価項目について得られた検査結果を入力するために用いられる入力手段と、計測手段における計測結果と入力手段を用いて入力された検査結果とに基づいて上記放射線画像の画質を判定する判定手段とを具備する。
【００２１】
本発明の第２の観点係る医用画像処理装置は、放射線撮影システムを用いることによって得られた放射線画像の画質を評価することにより、放射線撮影システムの検査を行う医用画像処理装置であって、少なくとも１つの画質評価項目についての画質評価用パターンが配置されていると共に、複数のマーカが互いに異なる複数の位置にそれぞれ配置されているファントムを、放射線撮影システムを用いて撮影することにより得られた放射線画像を表す画像データが入力された場合に、放射線画像におけるファントムの位置を、複数のマーカを用いて検出する位置検出手段と、該位置検出手段によって検出されたファントムの位置と、上記放射線画像におけるファントムの基準位置とを比較することにより、直線方向及び回転方向のずれ量を算出する比較演算手段と、所定の画質評価項目について計測される放射線画像内の領域であるサーチ領域を、比較演算手段によって算出されたずれ量に基づいて変更するサーチ領域変更手段と、該サーチ領域変更手段によって変更されたサーチ領域において、所定の画質評価項目についての計測を行うことにより、上記放射線画像の特性を表す物理量を算出する物理量算出手段と、放射線画像の画質を判定するために用いられる判定基準を、比較演算手段によって算出されたずれ量に基づいて変更する判定基準変更手段と、該判定基準変更手段によって変更された判定基準に基づいて、物理量算出手段によって算出された物理量を用いて上記放射線画像の画質を判定する判定手段とを具備する。
【００２２】
本発明の第３の観点に係る医用画像処理装置は、放射線撮影システムを用いることによって得られた放射線画像の画質を評価することにより、放射線撮影システムの検査を行う医用画像処理装置であって、少なくとも１つの画質評価項目についての画質評価用パターンが配置されていると共に、複数のマーカが互いに異なる複数の位置にそれぞれ配置されているファントムを、放射線撮影システムを用いて撮影することにより得られた放射線画像を表す画像データが入力された場合に、上記放射線画像におけるファントムの位置を、複数のマーカを利用することによって検出する位置検出手段と、該位置検出手段によって検出されたファントムの位置を、上記放射線画像におけるファントムの基準位置と比較することにより、直線方向及び回転方向のずれ量を算出する比較演算手段と、該比較演算手段によって算出されたずれ量が低減されるように、上記放射線画像におけるファントムの位置を補正する画像補正手段と、該画像補正手段によって位置を補正されたファントムの画像に関して、所定の画質評価項目についての計測を行うことにより、上記放射線画像の特性を表す物理量を算出する物理量算出手段と、該物理量算出手段によって算出された物理量に基づいて、上記放射線画像の画質を判定する判定手段とを具備する。
【００２３】
本発明の第１の観点に係る放射線撮影システムの検査方法は、放射線撮影システムを用いることによって得られた放射線画像の画質を評価することにより、放射線撮影システムの検査を行う方法であって、少なくともリニアリティ、鮮鋭度、縮率の計測を含む画質評価項目についての複数の画質評価用パターンが配置されたファントムを放射線撮影することによって得られた放射線画像を表す画像データを入力するステップ（ａ）と、ステップ（ａ）において入力された画像データに基づいて、上記放射線画像におけるファントムの位置を検出するステップ（ｂ）と、ステップ（ａ）において入力された画像データに基づいて、上記ファントムの画像について、少なくともリニアリティ、鮮鋭度、縮率の計測を含む画質評価項目についての計測を行うステップ（ｃ）と、ステップ（ｃ）において計測された計測結果に基づいて、上記放射線画像の画質を判定するステップ（ｄ）とを具備する。
【００２４】
本発明の第２の観点に係る放射線撮影システムの検査方法は、放射線撮影を行うことによって放射線画像情報を記録媒体に記録し、該記録媒体から放射線画像情報を読み取ることによって画像データを生成し、該画像データに所定の画像処理を施すことにより、放射線画像を表示又は出力する放射線撮影システムを用いることによって得られた放射線画像の画質を評価することにより、放射線撮影システムを検査する方法であって、所定の画質評価項目について目視評価に用いられる画質評価用パターンと定量評価に用いられる画質評価用パターンとが配置されたファントムを放射線撮影することによって得られた放射線画像を表す画像データを入力するステップ（ａ）と、ステップ（ａ）において入力された画像データに関して、所定の画質評価項目についての定量的な計測を行うステップ（ｂ）と、ステップ（ａ）において入力された画像データに基づいて放射線画像を表示又は出力すると共に、表示又は出力された放射線画像を目視することにより、所定の画質評価項目についての検査を行うステップ（ｃ）と、ステップ（ｂ）において計測された計測結果と、ステップ（ｃ）において検査された検査結果とに基づいて、上記放射線画像の画質を判定するステップ（ｄ）とを具備する。
【００２５】
本発明の第３の観点に係る放射線撮影システムの検査方法は、放射線撮影システムを用いることによって得られた放射線画像の画質を評価することにより、放射線撮影システムの検査を行う方法であって、少なくとも１つの画質評価項目についての画質評価用パターンが配置されていると共に、複数のマーカが互いに異なる複数の位置にそれぞれ配置されているファントムを、放射線撮影することによって得られた放射線画像を表す画像データを入力するステップ（ａ）と、ステップ（ａ）において入力された画像データに基づいて、上記放射線画像におけるファントムの位置を、複数のマーカを用いて検出するステップ（ｂ）と、ステップ（ｂ）において検出されたファントムの位置と、上記放射線画像におけるファントムの基準位置とを比較することにより、直線方向及び回転方向のずれ量を算出するステップ（ｃ）と、所定の画質評価項目について計測される放射線画像内の領域であるサーチ領域を、ステップ（ｃ）において算出されたずれ量に基づいて変更するステップ（ｄ）と、ステップ（ｄ）において変更されたサーチ領域において、上記画質評価項目についての計測を行うことにより、上記放射線画像の特性を表す物理量を算出するステップ（ｅ）と、放射線画像の画質を判定するために用いられる判定基準を、ステップ（ｃ）において算出されたずれ量に基づいて変更するステップ（ｆ）と、ステップ（ｆ）において変更された判定基準に基づいて、ステップ（ｅ）において算出された物理量を用いて上記放射線画像の画質を判定するステップ（ｇ）とを具備する。
【００２６】
本発明の第４の観点に係る放射線撮影システムの検査方法は、放射線撮影システムを用いることによって得られた放射線画像の画質を評価することにより、放射線撮影システムの検査を行う方法であって、少なくとも１つの画質評価項目についての画質評価用パターンが配置されていると共に、複数のマーカが互いに異なる複数の位置にそれぞれ配置されているファントムを、放射線撮影することによって得られた放射線画像を表す画像データを入力するステップ（ａ）と、ステップ（ａ）において入力された画像データに基づいて、上記放射線画像におけるファントムの位置を、複数のマーカを用いて検出するステップ（ｂ）と、ステップ（ｂ）において検出されたファントムの位置と、上記放射線画像におけるファントムの基準位置とを比較することにより、直線方向及び回転方向のずれ量を算出するステップ（ｃ）と、ステップ（ｃ）において算出されたずれ量が低減されるように、上記放射線画像におけるファントムの位置を補正するステップ（ｄ）と、ステップ（ｄ）において位置を補正されたファントムの画像に関して、所定の画質評価項目についての計測を行うことにより、上記放射線画像の特性を表す物理量を算出するステップ（ｅ）と、ステップ（ｅ）において算出された物理量に基づいて、上記放射線画像の画質を判定するステップ（ｆ）とを具備する。
【発明の効果】
【００２７】
本発明によれば、基板上に配置された複数の部材を有するＱＣファントムを用いるので、１回の撮影により、放射線撮影システムについて詳細な項目まで検査することが可能となる。また、そのようなＱＣファントムを用いて放射線撮影システムの検査システムを構築することにより、信頼性が確保された検査を効率的に行うことが可能になる。
【発明を実施するための最良の形態】
【００２８】
以下、本発明を実施するための最良の形態について、図面を参照しながら詳しく説明する。なお、同一の構成要素には同一の参照番号を付して、説明を省略する。本願において、定量評価とは、放射線撮影によって取得された画質管理用ファントム（検査用構造体）等の放射線画像を表すディジタルデータについて、演算処理を含む処理を行うことにより定量的な測定を行い、その測定結果に基づいて、検査定量値や、検査合格又は不合格の判定等を得るための検査のことをいう。また、本願において、目視評価とは、上記ファントム等の放射線画像について、上記の定量評価以外の検査によって行われる検査のことをいい、具体的には、フィルムや画面に表された放射線画像をオペレータが目視することにより行われる検査のことをいう。
【００２９】
図１は、本発明の第１の実施形態に係る医用画像処理装置を含む放射線撮影システムの構成を示すブロック図である。
図１に示すように、この放射線撮影システムは、放射線撮影を行うことによって記録シート１０に放射線画像情報を記録する放射線撮影装置１００と、記録シート１０に記録された放射線画像情報を読み取って画像データを生成する医用画像読取装置２００と、医用画像読取装置２００から入力された画像データについて所定の処理を行う医用画像処理装置３００とを含んでいる。これらの放射線撮影装置１００、医用画像読取装置２００、及び、医用画像処理装置３００は、ネットワークＮ１を介して互いに接続されている。
このネットワークＮ１には、放射線画像の撮影に関する様々な業務を管理するために使用される放射線情報管理システム（radiology information system、ＲＩＳ）５００や、病院全体の管理を行うために使用される病院情報管理システム（hospital information system、ＨＩＳ）５１０や、インターネット５２０を介してメンテナンスセンタ５３０と通信を行うための通信制御部５４０も接続されている。さらに、必要に応じて、病院のデータベースサーバや、ＩＤカードリーダや、端末装置等の外部装置５５０がネットワークＮ１に接続される。
【００３０】
放射線撮影装置１００は、被検体を介して記録シート１０に放射線を照射することにより、被検体を透過した放射線を被検体に関する放射線画像情報として記録シート１０に記録する装置である。記録シート１０は、照射された放射線のエネルギーを蓄積する輝尽性蛍光体物質が塗布されたシート（輝尽性蛍光体シート）であり、放射線画像情報を記録する記録媒体として用いられる。
【００３１】
放射線撮影装置１００は、記録シート１０の位置を上下に移動させることにより、被検者の撮影位置を調節する撮影位置昇降機構１０１と、被検体の足の位置を決める撮影台１０２と、被検体に照射される放射線を発生する放射線発生部１０３と、与えられた撮影条件に従って放射線発生部１０３等を制御する撮影制御部１０４と、様々な命令や撮影条件を入力するために用いられる入力部１０５とを含んでいる。撮影制御部１０４は、ネットワークＮ１に接続されており、ネットワークＮ１を介して撮影条件を設定することも可能である。
【００３２】
放射線撮影システムの検査を行う場合には、ファントム２０が被検体として放射線撮影装置１００に配置される。そして、所定の撮影条件の下で放射線撮影を行うことにより、ファントム２０の放射線画像情報が記録シート１０に記録される。撮影後、記録シート１０は、医用画像読取装置２００の所定の位置にセットされる。なお、ファントム２０については、後で詳しく説明する。
【００３３】
医用画像読取装置２００は、記録シート１０に記録されている放射線画像情報を光電的に読み取り、記録シート１０に照射された放射線のエネルギーレベルをデータに変換することにより、画像データを生成する。放射線画像情報の読み取りは、次のようにして行われる。即ち、レーザ光源２０１から出射し、光走査部２０２を通過した光ビームにより、記録シート１０の表面を走査する。これにより、記録シート１０の光ビームが照射された領域から、蓄積された放射線エネルギーに応じた量の輝尽発光光が生じる。この輝尽発光光は、光ガイドによって導かれ、フォトマルチプライヤ（光電子増倍管）２０３により光電的に検出され、放射線画像情報を表すアナログ信号として出力される。さらに、このアナログ信号は、増幅器２０４によって増幅され、Ａ／Ｄ変換器２０５によってディジタル化される。このようにして生成された画像データが、画像付帯情報と共に、ネットワークＮ１を介して医用画像処理装置３００に向けて出力される。
【００３４】
或いは、医用画像読取装置の方式として、次のような別の方式を用いても良い。即ち、輝尽発光光を励起するための光源として、ＬＥＤ等を主走査方向に配列したライン光源を用い、輝尽発光光を検出する検出器として、主走査方向に配置されたＣＣＤ等のラインセンサを有する読取ヘッドを用いる。そして、読取ヘッドと輝尽性蛍光体シート１０とを、主走査方向と直交する副走査方向に相対的に移動させながら、ライン光源から出射した励起光を輝尽性蛍光体シート１０に入射させ、輝尽性蛍光体シート１０から発生した輝尽発光光をラインセンサによって読み取る。
【００３５】
医用画像処理装置３００は、医用画像読取装置２００において生成された画像データに画像処理を施すことにより放射線画像を生成すると共に、そのような放射線画像について、所定の画質評価項目についての計測を行うことにより、放射線撮影システムの性能やパラメータの不変性等を検査する。医用画像処理装置３００は、例えば、パーソナルコンピュータを用いて構成される。医用画像処理装置３００には、様々な命令や検査結果等を入力するために用いられる、キーボードやマウス等の入力部３１０と、放射線画像等を表示するＣＲＴモニタ等の表示部３２０と、医療用診断画像をフィルム等に印刷するプリンタ３３０とが備えられている。
【００３６】
図２は、図１に示す医用画像処理装置３００の構成を詳しく示すブロック図である。医用画像処理装置３００は、入力された画像データ及び画像付帯情報を一旦記憶するメモリ３０１と、ハードディスク制御部３０２と、インタフェース３０３と、ネットワークインタフェース３０４と、中央演算装置（以下、ＣＰＵという）４００と、記録媒体としてのハードディスク４１０とを含んでいる。メモリ３０１、ハードディスク制御部３０２、ネットワークインタフェース３０４、及び、ＣＰＵ４００は、バスラインＢＬを介して相互に接続されている。
【００３７】
ＣＰＵ４００は、インタフェース３０３を介して、入力部３１０、表示部３２０及びプリンタ３３０と接続されている。また、ＣＰＵ４００は、ネットワークインタフェース３０４及びネットワークＮ１を介して、図１に示す放射線撮影装置１００、医用画像読取装置２００、ＲＩＳ５００、ＨＩＳ５１０及び通信制御部５４０にも接続されている。
【００３８】
ハードディスク４１０には、ＣＰＵ４００を動作させるための基本プログラムや、放射線撮影システムの検査を行うために用いられるプログラム（ＱＣ用プログラム）を含むソフトウェア、及び、それらの処理に用いられる情報等が記録されている。図２には、画像データ及び画像付帯情報を記録する画像データ記録部４１１と、検査を行う際に用いられるパラメータを記録するパラメータファイル記録部４１２と、放射線撮影システムの検査結果の履歴情報を記録する検査結果記録部４１３と、ＱＣ用プログラム記録部４１４とが示されている。なお、記録媒体としては、内蔵のハードディスク４１０の他に、外付けハードディスク、フレキシブルディスク、ＭＯ、ＭＴ、ＲＡＭ、ＣＤ−ＲＯＭ、又は、ＤＶＤ−ＲＯＭ等を用いても良い。
【００３９】
次に、図２に示す機能ブロック４０１〜４０７について説明する。これらの機能は、後述するファントムを放射線撮影することによって得られた放射線画像の画質を評価することにより、図１に示す放射線撮影システムの品質を検査するためのものである。本実施形態において、これらの機能ブロック４０１〜４０７は、ＣＰＵ４００とソフトウェア（プログラム）とによって実現される。
【００４０】
画像処理部４０１は、医用画像読取装置２００から入力された画像データに、規格化、階調処理、論理読み処理等の所定の画像処理を施す。
マーカ位置検出部４０２は、画像処理部４０１において画像処理を施された画像データに基づいて、記録シート１０上における、ファントムに配置されているマーカを表す画像の位置を検出する。
【００４１】
比較演算部４０３は、検出されたマーカ画像の位置に基づいて、ファントム２０を表す画像の、記録シート１０に対する平行方向及び回転方向についての位置ズレの量を算出する。
計測領域算出部４０４は、算出された位置ズレの量に基づいて、検査を行う際に計測する対象となる放射線画像上の領域を算出する。
【００４２】
計測部４０５は、画像処理を施された画像データについて、算出された計測領域に基づいて定量評価される画質評価項目についての計測を行い、画質の評価に必要な物理量を算出する。なお、目視評価される画質評価項目については、表示部３２０に表示された放射線画像を、オペレータが目視により検査を行う。このオペレータによる検査結果は、入力部３１０を用いて医用画像処理装置３００に入力される。
【００４３】
判定部４０６は、計測部４０５から入力された計測結果と、入力部３１０を介して入力されたオペレータによる検査結果とに基づいて、各画質評価項目について異常があるか否かを判定し、判定結果を作成する。
出力部４０７は、画像処理部４０１において画像処理を施された画像データや、判定部４０６によって作成された判定結果等を、インタフェース３０３を介して表示部３２０又はプリンタ３３０に出力する。なお、各画質評価項目についての検査結果や判定結果は、ハードディスク４１０にも蓄積される。
【００４４】
次に、本発明の一実施形態に係るファントムについて、図３及び図４を参照しながら説明する。本実施形態に係るファントムは、図１に示す放射線撮影システムの品質を検査する際に用いられる画質管理用ファントムである。以下において、本実施形態において用いられる画質管理用のファントムのことをＱＣ（quality control）ファントムと呼ぶ。
【００４５】
図３は、本実施形態に係るＱＣファントムの構成を示す平面図である。また、図４の（ａ）〜（ｅ）は、図３に示す線Ａ−Ａ’〜Ｅ−Ｅ’におけるＱＣファントム２０の断面をそれぞれ示している。図３に示すように、ＱＣファントム２０には、アクリルや、銅や、タングステンや、鉛や、メッシュ等の部材によって形成されている様々な画質測定パターン２５〜２９が配置されている。これらの画質測定パターンは、放射線画像を評価する際に用いられる複数の画質評価項目に対応している。本実施形態においては、それらの画質評価項目の内、所定の画質評価項目について、定量評価及び目視評価の両方を実行できるように、画質測定パターンが配置されている。また、本実施形態において計測できる画質評価項目には、画像のリニアリティ、ダイナミックレンジ、鮮鋭度（解像度）、コントラスト、Ｓ／Ｎ比、縮率が含まれている。
【００４６】
図４の（ａ）に示すように、ＱＣファントム２０は、白色のアクリルケース２１と白色又は透明のアクリル蓋２２とに囲まれた空間に、様々な部材を配置することによって構成されている。なお、図３には、ＱＣファントム２０の内部を説明するために、アクリル蓋２２は図示されていない。
【００４７】
アクリルケース２１は、様々な部材が配置される基板２１ａと、基板２１ａの周囲を囲む側壁２１ｂとを含んでいる。これらの基板２１ａ及び側壁２１ｂは、一体的に形成されても良いし、別個に形成したものを張り合わせることによって形成されても良い。また、アクリルケース２１内部の底面には銅板２３が敷かれている。
【００４８】
図３に示すように、ＱＣファントム２０には、３個のマーカ２４ａ〜２４ｃが配置されている。マーカ２４ａ〜２４ｃは、記録シート１０に記録されたＱＣファントムの画像（以下、ファントム画像という）の、記録シート１０上における幾何学的な位置を求め、それにより、画質測定パターン２５〜２９の画像（以下、パターン画像という）の位置を検出するために用いられる。マーカ２４ａ〜２４ｃは、マーカの放射線画像（マーカ画像）を容易且つ確実に検出するために、ＱＣファントム２０の他の部分とは異なる放射線透過率を有していることが好ましく、また、他の画質測定パターン２５〜２９とは異なる形状に形成されていることが好ましい。図４の（ａ）に示すように、本実施形態においては、これらのマーカ２４ａ〜２４ｃは、銅板２３を、例えば、直径５ｍｍの円形に切り抜くことによって形成されている。
【００４９】
マーカを用いてパターン画像の位置を検出することにより、放射線撮影システムの品質検査の正確性を向上させると共に、画像処理や画質評価項目の処理を、容易に自動化することができる。なお、マーカ２４ａ〜２４ｃをＱＣファントム２０の位置合わせのために用いても良い。
【００５０】
図３に示すように、ＱＣファントム２０には、階段状に配置された、互いに厚さの異なる複数の銅板を含む銅ステップパターン２５が配置されている。銅ステップパターン２５は、記録シートに照射された放射線量の違いによる画像の輝度のリニアリティ及びダイナミックレンジを、オペレータによる目視評価、又は、定量評価によって検査するために用いられる。銅板を透過する放射線の強度は、その厚さに逆比例するので、厚さの異なる銅板（厚さ０を含む）を用いることにより最高強度から最低強度までの強度レベルを与えることができるからである。図４の（ｂ）に示すように、本実施形態において、これらのパターン２５ａ〜２５ｂの厚さは、銅板２３の厚さを含めて、それぞれ、０ｍｍ、０．８ｍｍ、２．５ｍｍ、５．５ｍｍである。厚さ０ｍｍのパターン２５ａは、銅板２３を切り抜くことによって作製されている。なお、ステップパターンに含まれる銅板の数や大きさや厚さは本実施形態に限定されることなく、様々な大きさ及び厚さを有する銅板を用いてステップパターンを構成してもよい。
【００５１】
図３に示すように、ＱＣファントム２０には、鮮鋭な角度エッジ部が形成されている２個のエッジ検出パターン２６が配置されている。エッジ検出パターン２６は、放射線画像の鮮鋭度を定量評価するために用いられる。これらのエッジ検出パターン２６に配置されている角度エッジ部の画像を微分し、ラインスプレッドファンクションを求め、その後でフーリエ変換を行うことにより、Ｘ方向及びＹ方向のＭＴＦ（modulation transfer function）が計測される。本実施形態において、２個のエッジ検出パターン２６は、ＱＣファントム２０の直交する２辺（２つの走査方向）に対してそれぞれ５°ずらして配置されている。また、図４（ｃ）に示すように、各エッジ検出パターン２６は、タングステン板２６ａを用いて、鉛部材２６ｂが基板２１ａから浮くように配置されている。
【００５２】
図３に示すように、ＱＣファントム２０には、アクリル部材によって形成されたバーガファントム（コントラスト分解能パターン）２７が配置されている。バーガファントム２７は、低コントラスト分解能を目視検査するために用いられ、これによって放射線撮影システムの相対コントラスト及びＳ／Ｎ比が検証される。図３又は図４の（ｄ）に示すように、本実施形態においては、線Ｄ−Ｄ’方向について、所定の厚さを有するアクリル部材が、直径が１ｍｍ、２ｍｍ、３ｍｍ、４ｍｍと変化するように配置されている。一方、図４の（ｅ）に示すように、線Ｅ−Ｅ’方向について、所定の直径を有するアクリル部材が、厚さが１ｍｍ、１．５ｍｍ、２ｍｍ、３ｍｍと変化するように配置されている。
【００５３】
図３に示すように、ＱＣファントム２０には、銅部材によって形成された２個の銅スケールパターン２８が配置されている。銅スケールパターン２８は、各走査方向についての縮率を定量評価するために用いられる。本実施形態において、これらの銅部材のサイズは、長さ１００ｍｍ、幅１０ｍｍ、厚さ０．５ｍｍであり、銅部材の長辺がＱＣファントム２０の直交する２辺（２つの走査方向）に対して平行になるように、それぞれ配置されている。
【００５４】
また、ＱＣファントム２０には、ワイヤメッシュパターン２９が配置されている。ワイヤメッシュパターン２９は、放射線画像の鮮鋭度及びその不均一性を目視評価するために用いられる。ワイヤメッシュ２９ａ〜２９ｄは、好ましくは鋼鉄製のメッシュによって形成されており、互いに異なるワイヤ間隔をそれぞれ有している。鮮鋭度の不均一性は、ワイヤメッシュ２９ａ〜２９ｄの間において、鮮鋭度の不均一性を比較することにより、それらの全体から、広範囲に渡って評価される。本実施形態においては、ワイヤメッシュ２９ａ〜２９ｄのワイヤ間隔は、それぞれ、３００μｍ、２５０μｍ、１８０μｍ、１５０μｍである。なお、本実施形態においては、４つのワイヤメッシュを用いているが、鮮鋭度の不均一性の評価の精度を高めるために、５つ以上の異なる大きさのメッシュ部を設けても良い。また、これらのメッシュの大きさや、厚さや、間隔について、様々な値を用いても良い。
【００５５】
次に、本発明の第１の実施形態に係る放射線撮影システムの検査方法について、図１〜図５を参照しながら説明する。本実施形態に係る放射線撮影システムの検査方法は、図１及び図２に示す放射線撮影システムにおいて、図３に示すＱＣファントム２０を用いて実施される。図５は、本実施形態に係る放射線撮影システムの検査方法を説明するためのフローチャートである。
【００５６】
まず、ステップＳ１において、放射線撮影装置１００は、ＱＣファントム２０を被検体として用いて放射線撮影を行い、記録シート１０に放射線画像情報を記録する。次に、ステップＳ２において、医用画像読取装置２００は、記録シート１０に記録されている放射線画像情報を読み取り、画像データを生成する。ステップＳ３において、医用画像処理装置３００は、画像処理部４０１において、医用画像読取装置２００から入力された画像データに、規格化、階調処理、論理読み処理等を含む第１の画像処理を施す。ステップＳ４において、第１の画像処理を施された画像データは、ハードディスク４１０の画像データ記録部４１１に記録される。また、画像データに伴って画像付帯情報が入力された場合には、その画像付帯情報もハードディスク４１０に記録される。
【００５７】
ステップＳ５〜Ｓ７において、ＣＰＵ４００は、ＱＣ用プログラム記録部４１４から所定のプログラムを読み出して実行する。
まず、ステップＳ５において、マーカ位置検出部４０２は、画像処理が施された画像データに基づいて、３個のマーカ２４ａ〜２４ｃを表すマーカ画像の位置を検出し、次いで、比較演算部４０３は、検出された複数のマーカ画像の位置と、パラメータファイル４１２に予め記録されているファントム画像におけるマーカ画像の基準位置とを比較することにより、放射線画像におけるファントム画像の基準位置からのズレ（位置ズレ）量を算出する。
【００５８】
ここで、放射線撮影を行う際に、ＱＣファントム２０が適切な位置からズレて設置されてしまうことがある。そのような状態で放射線撮影が行われると、記録シート上の基準位置に対して、所定の範囲内で平行方向及び回転方向についてのファントム画像の位置ズレが生じてしまう。或いは、放射線撮影時に、ＱＣファントム２０が上下逆さまや裏返しに設置されてしまう場合もある。そのような場合においても、３個のマーカ画像の位置を検出することにより、撮影時におけるＱＣファントム２０の配置を知ることができる。マーカ画像の位置を検出する方法、及び、平行方向及び回転方向の位置ズレ量を算出する方法については、後で詳しく説明する。
【００５９】
ステップＳ６において、計測領域算出部４０４は、定量評価に用いられる画質測定パターンの画像（パターン画像）の記録シート１０上における位置（以下、計測領域という）を算出する。本実施形態において、定量評価に用いられるパターンには、図３に示す銅ステップパターン２５、エッジ検出パターン２６、及び、銅スケールパターン２８が含まれる。位置ズレが生じていない場合におけるこれらのパターンの位置（以下、基準領域という）に関する情報、即ち、基準領域に対応する画素の始点及び終点の座標は、パラメータファイル記録部４１２に予め記録されている。そこで、計測領域算出部４０４は、ステップＳ５において算出されたファントム画像の位置ズレと、上記の基準領域に関する情報とに基づいて、実際に得られた放射線画像における計測領域を算出する。計測領域を算出する方法については、後で説明する。
【００６０】
ステップＳ７において、計測部４０５は、ステップＳ６において算出された計測領域に基づいて、画質評価項目についてのパターン画像を認識し、画像処理が施された画像データについて、画像の輝度のリニアリティや、スキャンニング精度や、鮮鋭度や、縮率等を評価するために必要な物理量を計測する。
【００６１】
一方、ステップＳ８において、表示部３２０は、画像処理が施された画像データに基づいて、ＱＣファントム２０の放射線画像を表示する。ステップＳ９において、オペレータは、表示部３２０に表示された放射線画像に基づいて、低コントラスト分解能や鮮鋭度の画質評価項目について目視により検査を行い、検査結果を図２の入力部３１０を用いて医用画像処理装置３００に入力する。例えば、低コントラスト分解能は、バーガファントム２７に含まれる複数の部材の内、オペレータが視認できた部材の数を、直径ごとに測定することによって検査される。また、目視鮮鋭度は、オペレータが視認できたワイヤメッシュの数を測定することによって検査される。なお、オペレータは、プリンタ３３０から出力されたＱＣファントム２０の放射線画像を用いて目視による検査を行っても良い。
【００６２】
ステップＳ１０において、判定部４０６は、検査結果に異常があるか否かについて判定する。この判定は、例えば、検査結果記録部４１１に記録されている検査結果履歴情報の内、１つ又は複数の検査結果の平均に基づいて基礎値を予め設定しておき、今回の検査結果が、その基礎値から算出される最大値や最小値等の許容範囲内か否かによって行われる。
【００６３】
この判定の結果、検査結果に異常が見られる場合には、処理はステップＳ１１に移行し、ＣＰＵ４００によってメンテナンスセンタ５３０に異常が通知される。このメンテナンスセンタ５３０への通知は、ＲＩＳ５００又はＨＩＳ５１０の中央管理部を介して行っても良い。
【００６４】
一方、ステップＳ１０における判定の結果、異常が見られない場合には、処理はステップＳ１２に移行し、検査結果や判定結果が、ハードディスク４１０の検査結果記録部４１１に記録される。また、ステップＳ１３において、これらの検査結果や判定結果は、表示部３２０に出力され、画面に表示される。さらに、ステップＳ１４において、これら検査結果や判定結果は、プリンタ３３０にも出力され、必要であればＱＣファントム２０の放射線画像と共に、印刷される。
【００６５】
次に、図５のステップＳ５において行われる、放射線画像内におけるマーカ画像の位置を検出する方法について、図６〜図１０を参照しながら説明する。
まず、マーカ画像の位置検出に先立って、マーカを探索する範囲を決定する。図６の（ａ）及び（ｂ）は、記録シートと、そこに記録されたファントム画像との位置関係を示している。また、図７は、マーカを探索する範囲を説明するための図である。
【００６６】
マーカ探索範囲を決定するための前提として、図６の（ａ）に示すように、記録シート１０の中心とファントム画像３０の中心とが一致する位置を基準とする場合に、記録シート１０に対するファントム画像３０の平行方向の位置ズレは、上下左右に±１０ｍｍの範囲内であるとする。また、図６の（ｂ）に示すように、記録シート１０の長辺とファントム画像３０の長辺とが平行である状態を基準角度とする場合に、記録シート１０に対するファントム画像３０の回転方向の位置ズレ（角度ズレ）は、±５°の範囲内であるとする。
【００６７】
これより、図７の（ａ）に示すように、ファントム画像３０の左上のマーカ画像３１が存在し得る範囲は、平行移動することにより領域ａｂｃｄ内となり、さらに回転移動することにより、領域ｅｆｇｈｉｊ内となる。そのため、マーカ画像３１を検出する際には、領域ｅｆｇｈｉｊ内に限定して探索を行うことが望ましい。しかしながら、処理を簡略化するために、領域ｅｆｇｈｉｊの外接四角形である領域ＡＢＣＤを探索領域として設定する。また、図７の（ａ）においては、マーカ画像３１は点によって表されているが、探索する際には、マーカ画像３１の大きさを考慮する必要がある。
【００６８】
図７の（ｂ）に示すように、各点の座標及び各部のサイズは、次のように定義される。図７の（ｂ）には、記録シート１０に対して位置ズレが生じていない状態のファントム画像３０が示されている。Ｘ軸及びＹ軸は、記録シート１０の直交する２辺とそれぞれ平行であり、ｘ軸及びｙ軸は、ファントム画像３０の直交する２辺とそれぞれ平行である。以下において、特に断らない限り、記録シート１０の中心点Ｏを原点とする場合には、図７の（ｂ）の右方向がＸの正方向であり、上方向がＹの正方向であるものとする。
【００６９】
ＩＸ…記録シート１０の横のサイズ
ＩＹ…記録シート１０の縦のサイズ
ＦＸ…ファントム画像３０の横のサイズ
ＦＹ…ファントム画像３０の縦のサイズ
ＭＸ…ファントム画像３０の左上からマーカ画像３１の中心までのｘ方向の距離
ＭＹ…ファントム画像３０の左上からマーカ画像３１の中心までのｙ方向の距離
ＤＲ…ファントム画像３０の位置ズレがない場合におけるマーカ画像位置を基準とした、ｘ軸及びｙ軸上におけるマーカ画像３１の最大平行移動距離
（ＸＳ，ＹＳ）…記録シート１０の左上を原点とした場合における点Ａの座標
（ＸＥ，ＹＥ）…記録シート１０の左上を原点とした場合における点Ｃの座標
ここで、記録シート１０の左上を原点とする場合には、図７の（ｂ）の右方向がＸの正方向であり、下方向がＹの正方向であるものとする。
【００７０】
ａ（ａＸ，ａＹ）…記録シート１０の中心点Ｏを原点とする点ａの座標
ｂ（ｂＸ，ｂＹ）…記録シート１０の中心点Ｏを原点とする点ｂの座標
ｃ（ｃＸ，ｃＹ）…記録シート１０の中心点Ｏを原点とする点ｃの座標
ｄ（ｄＸ，ｄＹ）…記録シート１０の中心点Ｏを原点とする点ｄの座標
Ａ（ＣＸ，ＢＹ）…記録シート１０の中心点Ｏを原点とする点Ａの座標
Ｃ（ＡＸ，ＤＹ）…記録シート１０の中心点Ｏを原点とする点Ｃの座標
【００７１】
また、マーカ画像３１の半径をＭＲとする。さらに、記録シート１０の長辺とファントム画像３０の長辺とが平行である場合を基準として、ファントム画像３０の正方向の最大回転角をα、負方向の最大回転角をβとし、最大平行移動距離をＤＲとする。なお、最大回転角は、角度が増加する方向（反時計回り）で定義される。図６の（ａ）及び（ｂ）に示す場合には、α＝０．５°、β＝０．５°、ＤＲ＝１０ｍｍである。
【００７２】
このように定義された値を用いることにより、図７の（ａ）に示すマーカ画像の探索領域ＡＢＣＤは、次式（１）及び（２）によって表される２点（ＸＳ，ＹＳ）及び（ＸＥ，ＹＥ）（これらの原点は記録シート１０の左上である）を対角線とする長方形によって決定される。図７の（ｂ）に示すように、この長方形の直交する２辺は、Ｘ軸及びＹ軸にそれぞれ平行になっている。
【００７３】
（ＸＳ，ＹＳ）＝（ＩＸ／２＋ＣＸ，ＩＹ／２−ＢＹ）    …（１）
（ＸＥ，ＹＥ）＝（ＩＸ／２＋ＡＸ，ＩＹ／２−ＤＹ）    …（２）
ここで、ＣＸ、ＤＹ、ＡＸ及びＢＹは、次の式（３）〜式（６）で表される。
ＣＸ＝ａＸ・ｃｏｓ（−α）＋ａＹ・ｓｉｎ（−α）    …（３）
ＤＹ＝−ｂＸ・ｓｉｎ（−α）＋ｂＹ・ｃｏｓ（−α）  …（４）
ＡＸ＝ｄＸ・ｃｏｓ（−β）＋ｄＹ・ｓｉｎ（−β）    …（５）
ＢＹ＝−ａＸ・ｓｉｎ（−β）＋ａＹ・ｃｏｓ（−β）  …（６）
【００７４】
また、（ａＸ，ａＹ）、（ｂＸ，ｂＹ）及び（ｄＸ，ｄＹ）は、次の式（７）〜式（９）で表される。
（ａＸ，ａＹ）＝（−ＦＸ／２＋ＭＸ−ＤＲ−ＭＲ，
ＦＹ／２−ＭＹ＋ＤＲ＋ＭＲ）  …（７）
（ｂＸ，ｂＹ）＝（−ＦＸ／２＋ＭＸ−ＤＲ−ＭＲ，
ＦＹ／２−ＭＹ−ＤＲ−ＭＲ）  …（８）
（ｄＸ，ｄＹ）＝（−ＦＸ／２＋ＭＸ＋ＤＲ＋ＭＲ，
ＦＹ／２−ＭＹ＋ＤＲ＋ＭＲ）  …（９）
【００７５】
図８及び図９は、マーカ画像を検出し、それを用いてファントム画像の位置ズレを算出するための医用画像処理装置３００（図２）の動作を示すフローチャートである。
本実施形態においては、マーカ画像３１の輝度及び形状を利用して、マーカ画像３１を検出する。その理由として、ＱＣファントム２０を撮影することによって得られた放射線画像には、マーカ画像の他に、ＱＣファントム２０の外部である背景や、様々なパターンやベースを含むＱＣファントム内部の画像や、ＱＣファントムの淵や、絞り等が含まれているので、上記の式（１）及び式（２）によって定義される探索領域内にも、そのような画像が存在する可能性があるからである。
【００７６】
まず、図８のステップＳ２１〜Ｓ２４において、医用画像処理装置３００のマーカ位置検出部４０２は、探索領域内の画像の輝度を検出することにより、探索領域内におけるマーカ画像３１の有無の可能性について判定する。
即ち、ステップＳ２１において、探索領域内の画像の濃淡分布（特定輝度出現頻度）を示すヒストグラムが作成される。図１０は、探索領域内の画像の濃淡分布を示すヒストグラムである。横軸に示すＱＬ値とは、画像の輝度が低くなる（黒に近付く）につれて大きくなる量であり、縦軸に示す頻度とは、そのＱＬ値を示す画素の数に対応する量である。
【００７７】
次に、ステップＳ２２において、最大ＱＬ値から最低ＱＬ値に向かって、ヒストグラムが探索される。その理由は、探索領域内にＱＣファントム外部の背景画像が含まれている場合には、マーカ画像３１は、背景画像の次に高濃度の領域となり、背景画像が含まれていない場合には、マーカ画像３１が最高濃度領域となるからである。そして、頻度の値が、マーカ画像３１及びＱＣファントム外部の背景画像によって生じたＱＬ値の極大値を越えた後に、しきい値Ｔｈｄを最初に下回るときのＱＬ値が求められ、その値がＳＭＡＸ１とされる。ここで、しきい値Ｔｈｄとは、空間分解能及びビット分解能によって決まる値である。
【００７８】
ステップＳ２３において、ＳＭＡＸ１から最低ＱＬ値に向かって引き続きヒストグラムが探索され、頻度の値が再びしきい値Ｔｈｄを上回るか否かが判定される。再び上回る場合には、そのときのＱＬ値がＳＭＡＸ２とされ、処理はステップＳ２４に移行する。この場合には、探索領域内にマーカ画像３１が存在する可能性があると判定され、ステップＳ２４において、ＱＬ値についてのしきい値Ｔｈ１として、ＳＭＡＸ１が設定される。一方、頻度の値が再びしきい値Ｔｈｄを上回ることがない場合、即ち、ＳＭＡＸ２を求められない場合には、探索領域内は均一な画像であるので、探索領域内にマーカ画像３１が存在しないとみなされ、マーカ画像の検出は終了する。
【００７９】
ところで、図１０は、背景画像とマーカ画像３１との濃度が近い場合におけるヒストグラムを示しており、この場合には、背景画像とマーカ画像３１の頻度の山はつながっている。しかしながら、背景画像とマーカ画像３１との濃度が近くない場合には、背景画像とマーカ画像３１の頻度の山は分離する。従って、ステップＳ２４において設定されたしきい値Ｔｈ１は、背景画像とマーカ画像３１との濃度が近くない場合には、最高濃度領域である背景画像のしきい値となり、背景画像とマーカ画像３１との濃度が近い場合には、背景画像及びマーカ画像のしきい値となる。
【００８０】
そこで、ステップＳ２５〜Ｓ２９において、マーカ位置検出部４０２は、ＱＬ値がしきい値Ｔｈ１以上となる領域の形状を判定する。即ち、ステップＳ２５において、ＱＬ値がしきい値Ｔｈ１以上の領域と、しきい値Ｔｈ１未満の領域とに、探索領域が２分される。次に、ステップＳ２６において、ＱＬ値がしきい値Ｔｈ１以上である領域に含まれる画素がラベリングされる。さらに、ステップＳ２７において、ラベリングされた画素が互いに接している領域がまとめられ、これがマーカ画像候補領域とされる。
【００８１】
次に、ステップＳ２８において、所定の範囲内の面積を有するマーカ画像候補領域が存在するか否かについての判定が行われる。この判定は、次式（１０）を満たすか否かに従って為される。
０．５πＭＲ２＜マーカ画像候補領域の面積＜１．５πＭＲ２  …（１０）
式（１０）に基づく判定の結果、所定の範囲内の面積を有するマーカ画像候補領域が存在する場合には、処理はステップＳ２９に移行する。一方、所定の範囲内の面積を有するマーカ画像候補領域が存在しない場合には、ＱＬ値がしきい値Ｔｈ１以上の領域には、マーカ画像３１は存在しないものとみなされ、処理は図９に示すステップＳ３１に移行する。
【００８２】
ステップＳ２９において、マーカ画像候補領域の円形度が所定の値以上であるか否かについての判定が行われる。判定方法は次の通りである。まず、マーカ画像候補領域の重心に、マーカ画像候補領域と同じ面積を持つ円が存在すると想定する。マーカ画像候補領域の面積をＳとすると、想定される円の半径Ｒは、Ｒ＝（Ｓ／π）１／２となる。
【００８３】
次に、マーカ画像候補領域と想定される円の領域との間で共通する領域の面積をＵとし、マーカ画像候補領域の円形度をＵ／Ｓと表す。そして、円形度Ｕ／Ｓが次式（１１）を満たす否かを判定する。
Ｕ／Ｓ≧０．８  …（１１）
式（１１）に基づく判定の結果、マーカ画像候補領域の円形度が所定の値以上である場合には、処理はステップＳ３０に移行する。一方、マーカ画像候補領域の円形度が所定の値未満である場合には、ＱＬ値がしきい値Ｔｈ１以上の領域にはマーカ画像３１が存在しないものとみなされ、処理は図９に示すステップＳ３１に移行する。
【００８４】
ステップＳ３０において、医用画像処理装置の比較演算部４０３は、記録シート１０の左上を原点としたマーカ画像候補領域の重心の座標を用いて、平行方向及び回転方向についてのファントム画像の位置ズレを算出し、その結果を計測部４０５に出力する。
一方、図８のステップＳ２８又はＳ２９における判定の結果、ＱＬ値がしきい値Ｔｈ１以上である領域にはマーカ画像３１が存在しないとみなされた場合には、図９に示すように、しきい値Ｔｈ１未満である領域に、マーカ画像３１が存在するか否かについて判定が行われる。
【００８５】
まず、ステップＳ３１〜Ｓ３３において、マーカ位置検出部４０２は、探索領域内におけるマーカ画像３１の有無の可能性を判定する。即ち、ステップＳ３１において、図１０に示すヒストグラムにおいて、ＱＬ値についてのしきい値Ｔｈ１から最低ＱＬ値に向かって探索が行われ、しきい値Ｔｈｄを下回るときのＱＬ値が求められた場合に、その値がＳＭＡＸ３とされる。次に、ステップＳ３２において、ＳＭＡＸ３から最低ＱＬ値に向かって引き続き探索が行われ、頻度の値が再びしきい値Ｔｈｄを上回るか否かが判定される。頻度の値が再びしきい値Ｔｈｄを上回る場合には、そのときのＱＬ値がＳＭＡＸ４とされ、処理はステップＳ３３に移行する。この場合には、探索領域内にマーカ画像３１が存在する可能性があると判定され、ステップＳ３３において、ＱＬ値についてのしきい値Ｔｈ２として、ＳＭＡＸ３が設定される。一方、頻度の値が再びしきい値Ｔｈｄを上回ることがない場合、即ち、ＳＭＡＸ４を求められない場合には、探索領域内の背景画像以外は均一な画像であるので、探索領域内にマーカ画像３１が存在しないものとみなされ、マーカ画像の検出は終了する。
【００８６】
次に、ステップＳ３４〜Ｓ３８において、マーカ位置検出部４０２は、ＱＬ値がしきい値Ｔｈ２以上且つＴｈ１未満となる領域の形状を判定する。即ち、ステップＳ３４において、ＱＬ値がしきい値Ｔｈ２以上かつＴｈ１未満の領域と、それ以外の領域とに、探索領域が２分される。次に、ステップＳ３５において、ＱＬ値がしきい値Ｔｈ２以上且つＴｈ１未満である領域に含まれる画素がラベリングされる。さらに、ステップＳ３６において、ラベリングされた画素が互いに接している領域がまとめられ、これがマーカ画像候補領域とされる。
【００８７】
次に、ステップＳ３７において、マーカ位置検出部４０２は、ステップＳ２８における処理と同様に、所定の範囲内の面積を有するマーカ画像候補領域が存在するか否かについて判定を行う。その結果、所定の範囲内の面積を有するマーカ画像候補領域が存在する場合には、処理はステップＳ３８に移行する。一方、所定の範囲内の面積を有するマーカ画像候補領域が存在しない場合には、探索領域内にマーカ画像３１が存在しないとみなされ、マーカ検出処理が終了する。
【００８８】
ステップＳ３８においては、ステップＳ２９における処理と同様に、マーカ画像候補領域の円形度が所定の値以上であるか否かについての判定が行われる。その結果、マーカ画像候補領域の円形度が所定の値以上である場合には、処理はステップＳ３９に移行する。一方、マーカ画像候補領域の円形度が所定の値未満である場合には、探索領域内にマーカ画像３１が存在しないとみなされ、マーカ検出処理は終了する。さらに、ステップＳ３９においては、ステップＳ３０における処理と同様に、比較演算部４０３において、ファントム画像の位置ズレが算出され、算出された位置ズレ量が計測部４０５に出力される。
【００８９】
マーカ位置検出部４０２は、以上説明したようなマーカ検出処理を、ファントム画像３０の右上及び右下のマーカ画像についても行う。また、マーカ位置検出部４０２は、ファントム画像３０の四隅についてマーカ検出処理を行い、３つのマーカ画像を検出することにより、ＱＣファントム２０が裏返った状態、又は、上下逆さまの状態で撮影されたか否かを判定しても良い。その場合に、医用画像処理装置３００は、得られた放射線画像を上下又は左右に反転したり、１８０°回転するように、画像データに画像処理を施しても良い。
【００９０】
次に、図５のステップＳ６において行われる、定量評価が行われる際の計測対象となる計測領域を算出する方法について説明する。本実施形態においては、図３の上部に示されている２つのマーカ２４ａ及び２４ｂの放射線画像を用いて計測領域を算出している。
【００９１】
図１１は、記録シート１０に記録されたファントム画像３０を示している。図１１の（ａ）は、ファントム画像３０が記録シート１０の基準位置に適切に記録された場合を示している。即ち、図１１の（ａ）において、記録シートの左上とファントム画像の左上との位置が一致し、且つ、記録シートの長辺とファントム画像の長辺とが平行になっている。図１１の（ｂ）は、図１１の（ａ）の場合に対して、ファントム画像がズレている場合を示している。なお、図１１の（ａ）及び（ｂ）には、説明を簡単にするために、ファントム画像３０の左上のマーカ画像３１ａ、右上のマーカ画像３１ｂ、基準領域３２、及び、計測領域３３のみが示されている。
【００９２】
図１１の（ａ）において、記録シート１０の左上を原点として、マーカ画像３１ａの座標を（Ｍｏｌ，Ｓｏｌ）、マーカ画像３１ｂの座標を（Ｍｏｒ，Ｓｏｒ）、基準領域３２の始点の座標を（Ｍｓｓ，Ｓｓｓ）、終点の座標を（Ｍｓｅ，Ｓｓｅ）とする。また、図１１の（ｂ）において、マーカ画像３１ａの座標を（Ｍｄｌ，Ｓｄｌ）、マーカ画像３１ｂの座標を（Ｍｄｒ，Ｓｄｒ）、計測領域３３の始点の座標を（Ｍｄｓ，Ｓｄｓ）、終点の座標を（Ｍｄｅ，Ｓｄｅ）とする。
【００９３】
これらの値を用いて、ファントム画像３０の傾き角θ、及び、オフセット値（ΔＸ，ΔＹ）は、次式（１２）〜式（１４）で表される。
θ＝ａｒｃｔａｎ｛（Ｓｄｌ−Ｓｄｒ）／（Ｍｄｌ−Ｍｄｒ）｝  …（１２）
ΔＸ＝Ｍｄｌ−Ｍｏｌ  …（１３）
ΔＹ＝Ｓｄｌ−Ｓｏｌ  …（１４）
【００９４】
したがって、予めパラメータファイルに記録されている基準領域３２の座標値を用いると、計測領域３３の座標は、次式（１５）及び式（１６）によって求められる。
【数１】
2004298617.tif 000003
即ち、検査を行う際には、上記の２点を対角点とし、直交する２辺が記録シート１０の各辺にそれぞれ平行な長方形を計測対象とすれば良い。
【００９５】
以上述べたように、本発明の第１の実施形態によれば、放射線を減衰又は遮蔽する材料を含み、画像読取装置によって読み取られた画像に関して少なくともリニアリティ、鮮鋭度、縮率の計測を可能とするために基板上に配置された複数の部材を有するＱＣファントムを用いて、その放射線画像を読み取ることにより生成された画像データに基づいて画像読取装置の検査を行うので、１回の撮影により詳細な項目まで検査することが可能となる。
【００９６】
また、本実施形態によれば、ＱＣファントムに配置された少なくとも２つのマーカを用いることにより、ファントム画像の位置を容易かつ確実に検出することが可能になる。従って、このようなＱＣファントムを用いて放射線撮影システムの検査システムを構築することにより、検査作業の正確性及び確実性を保ちつつ自動化することができるようになり、検査作業の中断や煩雑化を招くことがなくなるとともに、検査の信頼性を確保することが可能になる。
【００９７】
本実施形態においては、マーカ画像の位置を検出する際に、予め探索領域を設定し、その領域内について探索を行っている。これにより、放射線画像の全領域を探索する場合と比較して、処理時間を短縮することが可能になり、或いは、同じ処理時間内であれば、検出精度を向上させることが可能となる。なお、探索領域については、例えば、放射線画像の上部４分の１のみを探索するといった方法で設定しても良い。
【００９８】
図１２に、本発明の一実施形態に係るＱＣファントムの変形例を示す。このＱＣファントム４０は、基板４１と、基板４１上に配置された複数の部材によって構成される複数の画質測定パターン４２〜４９とを含んでいる。基板４１は、例えば、矩形の銅板によって形成されており、ＱＣファントム４０に機械的な安定性を付与すると共に、画像分析に適切なＸ線ビーム品質を与える。なお、本実施形態においても、図３に示すＱＣファントム２０と同様に、基板４１をアクリルケースに収納しても良い。
【００９９】
図１２に示すように、このＱＣファントム４０には、画質評価パターンとして、画像の低コントラスト分解能を目視評価するためのバーガファントム（コントラスト分解能パターン）４２〜４４と、画像の鮮鋭度を定量評価するためのエッジ検出パターン４５と、画像の鮮鋭度を目視評価するためのワイヤメッシュパターン４６と、画像の線形性及びダイナミックレンジを目視評価及び定量評価するためのステップパターン４７と、画像の縮率を定量評価するためのスケールパターン４８とが配置されている。また、ＱＣファントム４０には、これらのパターンの位置を検出するために用いられるマーカ４９ａ及び４９ｂが、空き領域４１ａ、４１ｂ以外の領域に配置されている。空き領域４１ａ、４１ｂは、放射線画像信号のＳ／Ｎ比を定量評価するために用いられても良い。
【０１００】
図１３は、バーガファントム４２〜４４を示す斜視図である。バーガファントム４２〜４４は、例えば、アクリル樹脂からなる１２個のステップ部４２ａ〜４２ｄ、４３ａ〜４３ｄ、４４ａ〜４４ｄを含んでいる。これらのステップ部４２ａ〜４２ｄ、４３ａ〜４３ｄ、４４ａ〜４４ｄは、Ｘ方向に厚さが異なり、Ｙ方向に大きさ（直径）が異なるように、マトリクス状に配列されている。なお、バーガファントムに用いられる部材としては、アクリル等の樹脂材料の他に、金属材料を用いても良い。
【０１０１】
エッジ検出パターン４５は、幾何学的な測定のための基準として使用されるパターンであり、Ｘ方向及びＹ方向のＭＴＦ測定のための鮮鋭な角度エッジ部４５ａ及び４５ｂを含んでいる。これらの角度エッジ部４５ａ及び４５ｂは、タングステン板によって形成されており、その外側には、鉛板５０が配置されている。これにより、角度エッジ部４５ａ及び４５ｂの周囲の領域においては、照射された放射線の大部分が遮蔽されるので、周辺の影響を抑えて鮮鋭度をより正確に評価できる。ここで、上記ＭＴＦは、エッジ検出パターン４５の放射線画像を微分して、ラインスプレッドファンクションを求め、その後でフーリエ変換を行うことによって求められる。
【０１０２】
この他に、画像の鮮鋭度を定量評価する画質評価用パターンとして、エッジ検出パターン４５の替わりに、エッジ検出パターン、スリットパターン及び矩形波パターンのうち少なくとも１つを含むものを用いても良い。これにより、鮮鋭度についての定量評価及び目視評価の両方を行うことができる。
【０１０３】
図１４は、ステップパターン４７を示す斜視図である。ステップパターン４７は、厚さの異なる矩形の４つの銅板４７ａ〜４７ｄを含んでいる。このように、図３に示すステップパターン２５と異なり、ステップパターンに含まれる部材を全て銅板によって形成しても良い。
また、この変形例においては、画像の鮮鋭度を目視評価するための画質評価用パターンとして、ワイヤメッシュパターン４６を用いているが、これ以外に、ワイヤメッシュパターン、バーバターン及び放射状パターンのうち少なくとも１つを含むものを用いても良い。
【０１０４】
さらに、この変形例においては、ワイヤメッシュパターン４６及びステップパターン４７の配置が、図３に示すＱＣファントム２０における配置と異なっている。このように、ＱＣファントム上における画質測定パターンの配置は、様々に変更することができる。
この変形例においては、基板４１上に、２つのマーカ４９ａ及び４９ｂが配置されている。放射線撮影時に、ＱＣファントム４０を裏返しや上下逆さまに配置してしまうおそれがない場合には、ファントム画像の位置を検出するためのマーカ４９ａ及び４９ｂは少なくとも２つあれば足りる。
【０１０５】
以上説明した本発明の一実施形態に係るＱＣファントム及びその変形例においては、銅板をくり抜くことによってマーカを形成したが、反対に、例えば、所定以上の厚さを有する鉛を用いて形成することにより、マーカを透過した放射線が、如何なる撮影条件の下でも規定値以下のエネルギーレベルとなるようにしても良い。この場合に、図２に示すマーカ位置検出部４０２は、放射線量が規定値以下の領域を検出すれば良く、これにより、簡便なアルゴリズムによってマーカを安定的に検出することが可能になる。上記の規定値は、放射線の照射量をモニタすることによって得られた結果を用いて決定又は変更されてもよい。
【０１０６】
また、マーカの形状については、放射線画像において少なくとも２点の座標が特定されるものであれば、点状、線状又は平面状等の如何なる形状であっても構わない。さらに、ファントム画像の位置ズレが大きいことが想定される場合には、ファントム画像が表示されるモニタ画面上に適切な許容範囲を設け、ファントム画像がその許容範囲外に表示された場合には、オペレータにメッセージを表示する等して、ＱＣファントム２０の再撮影を促すようにしてもよい。
【０１０７】
次に、本発明の第２の実施形態に係る医用画像処理装置について説明する。図１５は、本実施形態に係る医用画像処理装置を含む放射線撮影システムの一部を示すブロック図である。
図１５に示す放射線撮影システムは、図１に示す医用画像処理装置３００の替わりに、図１５に示す医用画像処理装置３４０を有している。図１５に示す医用画像処理総理３４０は、図２に示すＣＰＵ４００及びハードディスク４１０の替わりに、ＣＰＵ４２０及びハードディスク４３０を有している。その他の構成については、図１及び図２に示す放射線撮影システム及び医用画像処理装置と同様である。
【０１０８】
ＣＰＵ４２０は、得られた放射線画像について定量評価するための演算を行うＱＣ演算部４２１と、画像に関連する付加情報を出力する付加情報出力部４２２とを含んでいる。本実施形態において、ＱＣ演算部４２１は、ＣＰＵ４２０に組み込まれているが、このような形態には限定されない。例えば、システム全体を管理するホストコンピュータにＱＣ演算部を組み込んでも良く、ＱＣ演算部のみを搭載したパーソナルコンピュータを用いてもよい。
【０１０９】
ハードディスク４３０には、ＣＰＵ４４０に動作させるための基本プログラムや、放射線撮影システムの検査を行うためのプログラム（ＱＣツール）や、それらの処理に用いられる情報等が記録されている。図１５には、ツール記録部４３１と、付加情報記録部４３２とが示されている。これらの情報は、ＣＰＵ４４０により必要に応じてメモリ３０１に読み出され、様々な処理に用いられる。
【０１１０】
ＱＣツール記録部４３１には、ＱＣファントム２０の複数の画質評価パターンに対応する定量評価用のプログラム（ソフトウェア）が記録されている。定量評価用のソフトウェアは、種々の信号処理アルゴリズムを有しており、これらのアルゴリズムは、ＱＣファントム２０の画質評価パターンの放射線画像を表す画像データに適用された場合に、放射線撮影システムの品質を表す物理量を計算するために必要な全ての論理手段を含んでいる。
付加情報記録部４３２には、放射線撮影装置１００におけるＸ線管球電圧、線源被写体間距離等の放射線撮影時の撮影条件や、医用画像読取装置２００における画像読取条件や、画像処理部４０１における画像処理条件や、表示部３２０における画素数、階調数、画像処理の有無等の画像表示条件等が記録されている。これらの付加情報は、必要に応じてハードディスクから読み出され、ＱＣ演算部４２１において使用されたり、付加情報出力部４２２を介して出力される。
【０１１１】
次に、図１５に示す医用画像処理装置３４０の動作について説明する。
本実施形態においては、図３又は図１２に示すように、１つの画質測定項目に対応する目視評価用及び定量評価用の画質測定パターンが形成されているＱＣファントムを用いて放射線撮影システムの検査が行われる。
【０１１２】
医用画像読取装置２００（図１）からネットワークＮ１を介して、図３に示すＱＣファントム１０の放射線画像を表す画像データが医用画像処理装置３４０に入力されると、画像処理部４０１は、入力された画像データに階調処理等の所定の画像処理を施す。
次に、ＣＰＵ４２０は、ＱＣツール記録部４３１から定量評価用のプログラムを順次読み出して実行する。即ち、ＱＣ演算部４２１は、画像処理部４０１において処理されたＱＣファントム２０の放射線画像を表す画像データに基づいて、画質評価パターンに対応する種々の画質評価項目について、定量的な評価を行う。その際に、必要に応じて、ＱＣ演算部４２１は、付加情報記録部４３２から付加情報を読み出し、ＱＣ演算を行う際に利用する。
【０１１３】
出力部４０７は、ＱＣ演算部４２１において得られた定量評価の結果を表すデータを表示部３２０又はプリンタ３３０に出力する。その際に、付加情報出力部４２２は、付加情報記録部４３２に記録されている画像表示条件や、画像処理条件や、画像読取条件や、放射線撮影時の撮影条件等の付加情報を出力することにより、それらの情報をパターン画像や定量評価の結果と共に表示画面やフィルムに表示又は印刷させても良い。これにより、画像の評価条件を簡便且つ確実に確認することができ、より正確な検証が可能となる。
【０１１４】
一方、医用画像処理装置３４０は、目視評価が行われる所定の画質評価項目についてのパターン画像の画像データを出力し、表示部３２０又はプリンタ３３０に表示又は印刷させる。オペレータは、表示されたパターン画像について、目視評価を行う。このようにして、ＱＣファントム２０に含まれる種々の画質評価用パターンの放射線画像について定量評価及び目視評価が為され、放射線撮影システムの性能及び不変性が検証される。
【０１１５】
ここで、医用画像処理装置３４０は、目視評価と定量評価との両方の評価が行われる画質評価項目について、目視評価用のパターン画像と定量評価の結果とを画面上やフィルム上に併せて表示又は印刷するように、データを出力する。これにより、オペレータは、目視評価と定量評価との両方の評価を行う画質評価項目については、画面上やフィルム上に表示又は印刷された定量評価の結果に基づいて、定量性を容易に加味しながら目視評価を行うことができるので、評価の正確性が向上する。
【０１１６】
このようなパターン画像、定量評価の結果、及び、付加情報の表示部３２０への表示やフィルムへの印刷は、オペレータの操作に基づいて行われても良く、ＣＰＵ４２０の制御によって自動的に行われても良い。なお、本実施形態においても、本発明の第１の実施形態におけるのと同様に、検査の結果に異常が認められる場合に、その旨を図１に示すメンテナンスセンタ５３０に通知するようにしても良い。
【０１１７】
以上述べたように、本発明の第２の実施形態によれば、コントラスト分解能、Ｓ／Ｎ比、鮮鋭度、線形性、ダイナミックレンジ及び縮率等の様々な画質パラメータについての目視評価と、客観的な定量評価とを、１つのＱＣファントムを用いて行うことができる。従って、放射線撮影システムの性能及び不変性の検証を簡便に行うことができ、労力、時間及びコストを低減することが可能になる。また、所定の画質評価項目について、１つのＱＣファントムを用いて目視評価及び定量評価を行うことができるので、両者の測定結果を容易に比較でき、定量評価の定量性を目視評価に加味させることができる。従って、より客観的な評価を行うことができ、不変性評価の正確性を向上させることが可能になる。さらに、定量評価の評価結果を画質評価用パターンの放射線画像と共に表示することにより、定量評価の定量性が加味された目視評価を容易に行うことができるので、評価の正確性がさらに向上する。また、画質評価用パターンの放射線画像とともに、画像表示条件、画像処理条件、撮影条件及び定量評価の結果等の付加情報を表示することにより、画像の評価条件等を容易に確認できるので、より正確な評価を行うことが可能となる。
【０１１８】
なお、本実施形態においては、１つの画質評価項目についての１つの画質評価パターンが、目視評価と定量評価との両方に用いられる場合と、１つの画質評価項目についての目視評価用の画質評価パターン及び定量評価用の画質評価パターンが、目視評価及び定量評価にそれぞれ用いられる場合と、前者及び後者の画質評価パターンを同時に有する場合とを含んでも良い。
【０１１９】
次に、本発明の第３の実施形態に係る医用画像処理装置について説明する。図１６は、本実施形態に係る医用画像処理装置を含む放射線撮影システムの一部を示すブロック図である。
本実施形態に係る放射線撮影システムは、図１に示す医用画像処理装置３００の替わりに、図１６に示す医用画像処理装置３５０を有している。図１６に示す医用画像処理装置３５０は、図２に示すＣＰＵ４００及びハードディスク４１０の替わりに、ＣＰＵ４４０及びハードディスク４５０を有している。その他の構成については、図１及び図２に示す放射線撮影システムと同様である。
【０１２０】
ＣＰＵ４４０は、ファントム画像の位置ズレ量に基づいて、パターン画像を判定する際の基準を変更する判定基準変更部４４１と、パターン画像について算出された物理量と、変更された判定基準とに基づいて、各画質評価項目に異常があるか否かを判定すると共に、ファントム画像の画質の優劣を判定する判定部４４２とを有している。ＣＰＵ４４０のその他の機能については、図２を参照しながら説明したものと同様である。
【０１２１】
ハードディスク４５０には、ＣＰＵ４４０に動作させるための基本プログラムや、放射線撮影システムの検査を行うためのプログラムや、それらの処理に用いられる情報等が記録されている。図１６には、画像データ記録部４１１と、ファントム画像の基準位置に関する情報等が格納されているパラメータファイル記録部４１２と、検査結果記録部４１３と、ＱＣ用プログラム記録部４１４と、ファントム画像の位置ズレ量に基づいて、画質を判定する際の判定基準を変更するプログラムを格納している判定基準補正用プログラム記録部４５１と、画質評価項目についての判定基準が格納されている判定基準記録部４５２とが示されている。これらの情報は、ＣＰＵ４４０により必要に応じてメモリ３０１に読み出され、様々な処理に用いられる。
【０１２２】
次に、本発明の第３の実施形態に係る放射線撮影システムの検査方法について、図１６及び図１７を参照しながら説明する。図１７は、本実施形態に係る放射線撮影システムの検査方法を示すフローチャートである。
まず、ステップＳ１〜Ｓ７において、図５を参照しながら本発明の第１の実施形態において説明したものと同様に、放射線撮影によって得られたＱＣファントム２０の放射線画像を表す画像データを用いてファントム画像の位置ズレ量が算出され、それに基づいて求められた計測領域について検査が行われ、画質の評価に必要とされる物理量が算出される。また、生成された放射線画像は、表示部３２０に表示される。
【０１２３】
次に、ステップＳ４１において、ＣＰＵ４４０は、判定基準補正用プログラム記録部４５１から補正プログラムを読み出して実行する。即ち、判定基準変更部４４１は、判定基準記録部４５２からパターン画像の判定基準を読み出し、ファントム画像の平行方向及び回転方向への位置ずれ量（図１１参照）に基づいて、パターン画像を判定する際の判定基準を変更する。さらに、ステップＳ４２において、判定部４４２は、計測部４０５において算出されたパターン画像に関する物理量を、変更された判定基準に基づいて判定を行う。このようにして得られた判定結果は、出力部４０７を介して表示部３２０等に出力される。なお、本実施形態においても、図５のステップＳ１１と同様に、判定結果に異常が見られる場合には、ＣＰＵ４４０によってメンテナンスセンタ５３０に異常が通知されるようにしても良い。
【０１２４】
以上述べたように、本発明の第３の実施形態によれば、ファントム画像の位置ズレ量に応じて、画質評価項目の判定基準を変更するので、検査作業の自動化が促進されると共に、検査の精度さらに高めることが可能になる。
【０１２５】
次に、本発明の第４の実施形態に係る医用画像処理装置について説明する。図１８は、本実施例に係る医用画像処理装置を含む放射線撮影システムの一部を示すブロック図である。
本実施形態に係る放射線撮影システムは、図１に示す医用画像処理装置３００の替わりに、図１８に示す医用画像処理装置３６０を有している。図１８に示す医用画像処理装置３６０は、図２に示すＣＰＵ４００及びハードディスク４１０の替わりに、ＣＰＵ４６０及びハードディスク４７０を有している。その他の構成については、図１及び図２に示す放射線撮影システムと同様である。
【０１２６】
ＣＰＵ４６０は、ファントム画像の位置ズレ量に基づいて、生成された放射線画像を理想的な位置に補正する画像補正部４６１を有している。ＣＰＵ４６０のその他の機能については、図２を参照しながら説明したものと同様である。
【０１２７】
ハードディスク４７０には、ＣＰＵ４６０に動作させるための基本プログラムや、放射線撮影システムの検査を行うためのプログラムや、それらの処理に用いられる情報等が記録されている。図１８には、画像データ記録部４１１と、ファントム画像の基準位置に関する情報等が格納されているパラメータファイル記録部４１２と、検査結果記録部４１３と、ＱＣ用プログラム記録４１４と、ファントム画像の位置を理想的な位置に補正するための補正プログラムを格納している画像補正用プログラム記録部４７１と、画質評価項目についての判定基準が格納されている判定基準記録部４７２とが示されている。これらの情報は、ＣＰＵ４６０により必要に応じてメモリ３０１に読み出され、様々な処理に用いられる。
【０１２８】
次に、本発明の第４の実施形態に係る放射線撮影システムの検査方法について、図１８及び図１９を参照しながら説明する。図１９は、本実施形態に係る放射線撮影システムの検査方法を示すフローチャートである。
まず、ステップＳ１〜Ｓ５において、図５を参照しながら本発明の第１の実施形態において説明したものと同様に、放射線撮影によって得られたＱＣファントム２０の放射線画像を表す画像データを用いてファントム画像の位置ズレ量が算出される。また、生成された放射線画像は、表示部３２０に表示される。
【０１２９】
次に、ステップＳ５１において、ＣＰＵ４６０は、画像補正用プログラム記録部４７２から補正プログラムを読み出して実行する。即ち、画像補正部４６４は、図５のステップＳ５において求められたファントム画像の平行方向及び回転方向のずれ量（図１１参照）に基づいて、その位置ずれの方向とは反対方向にファントム画像を平行移動及び回転移動させる画像処理を施すことにより、パターン画像を含むファントム画像の位置ずれを補正する。
【０１３０】
次に、ステップＳ５２において、計測部４０５は、補正されたパターン画像について、画質評価項目についての物理量を算出する。次に、ステップＳ５３において、判定部４０６は、判定基準記録部４７３からそれぞれのパターン画像についての判定基準を読み出し、その判定基準に基づいて、算出されたパターン画像に関する物理量を判定する。このようにして得られた判定結果は、出力部４０７を介して表示部３２０等に出力される。なお、本実施形態においても、図５のステップＳ１１と同様に、判定結果に異常が見られる場合には、ＣＰＵ４６０によってメンテナンスセンタ５３０に異常が通知されるようにしても良い。
【０１３１】
以上述べたように、本発明の第４の実施形態によれば、検査作業の自動化が可能になると共に、計測領域やパターン画像の判定基準を変更しないので、簡便に検査処理を行うことが可能になる。
【０１３２】
以上、本発明の第１〜第４の実施形態に係る放射線撮影システムの検査方法及びそれを用いた医用画像処理装置、並びに、放射線撮影システムの検査に用いられるＱＣファントムについて説明したが、本発明は、上記の実施形態に限定されるものではなく、本発明の特許請求の範囲に記載されている発明の精神を逸脱しない範囲で、設計において種々の変更が可能である。例えば、ＱＣファントムの透過放射線を記録する記録媒体としては、輝尽性蛍光体シート１０の他に、透過放射線レベルを電気信号に変換するフラットパネルデバイスを用いても良い。
【産業上の利用可能性】
【０１３３】
本発明は、放射線画像が記録されたシートから画像情報を読み取る画像読取装置を含む放射線撮影システムの品質を検査するシステム等において利用することが可能である。
【図面の簡単な説明】
【０１３４】
【図１】本発明の第１の実施形態に係る医用画像処理装置を含む放射線撮影システムの構成を示すブロック図である。
【図２】図１に示す医用画像処理装置の構成を示すブロック図である。
【図３】本発明の一実施形態に係るファントムの構成を示す平面図である。
【図４】図４の（ａ）〜（ｅ）は、図３に示す線Ａ−Ａ’〜Ｅ−Ｅ’におけるファントムの断面をそれぞれ表す図である。
【図５】本発明の第１の実施形態に係る放射線撮影システムの検査方法を説明するためのフローチャートである。
【図６】記録シートに対してファントム画像の位置がずれる範囲を示す図である。
【図７】マーカ画像の存在範囲を示す図である。
【図８】マーカ画像を検出して、平行及び回転移動等によるズレを算出するためのフローチャート（前半）である。
【図９】マーカ画像を検出して、平行及び回転移動等によるズレを算出するためのフローチャート（後半）である。
【図１０】探索領域内の画像の濃淡分布を示すヒストグラムである。
【図１１】記録シートに記録されるファントム画像を示す図である。
【図１２】本発明の一実施形態に係るファントムの変形例を示す平面図である。
【図１３】図１２に示すファントムに含まれるバーガファントム（コントラスト分解能パターン）を示す斜視図である。
【図１４】図１２に示すファントムに含まれるステップパターンを示す斜視図である。
【図１５】本発明の第２の実施形態に係る医用画像処理装置を含む放射線撮影システムの一部を示すブロック図である。
【図１６】本発明の第３の実施形態に係る医用画像処理装置を含む放射線撮影システムの一部を示すブロック図である。
【図１７】本発明の第３の実施形態に係る放射線撮影システムの検査方法を示すフローチャートである。
【図１８】本発明の第４の実施形態に係る医用画像処理装置を含む放射線撮影システムの一部を示すブロック図である。
【図１９】本発明の第４の実施形態に係る放射線撮影システムの検査方法を示すフローチャートである。
【符号の説明】
【０１３５】
１０  記録シート
２０、４０  ファントム（ＱＣファントム）
２１  アクリルケース
２２  アクリル蓋
２３、５０  銅板
２４ａ〜２４ｃ、４９ａ、４０ｂ  マーカ
２５、４７  ステップパターン
２６、４５  エッジ検出パターン
２７、４２〜４４  バーガファントム（コントラスト分解能パターン）
２８、４８  スケールパターン
２９、４６  ワイヤメッシュパターン
３０  ファントム画像
３１、３１ａ、３１ｂ  マーカ画像
３２  基準領域
３３  計測領域
４１  基板
４１ａ、４１ｂ  空き領域
１００  放射線撮影装置
１０１  撮影位置昇降機構
１０２  撮影台
１０３  放射線発生部
１０４  撮影制御部
１０５  入力部
２００  医用画像読取装置
２０１  レーザ光源
２０２  光走査部
２０３  フォトマルチプライヤ
２０４  増幅器
２０５  Ａ／Ｄ変換器
３００  医用画像処理装置
３０１  メモリ
３０２  ハードディスク制御部
３０３  インタフェース
３０４  ネットワークインタフェース
３１０  入力部
３２０  表示部
３３０  プリンタ
４００、４２０、４４０、４６０  ＣＰＵ（中央処理装置）
４０１  画像処理部
４０２  マーカ位置検出部
４０３  比較演算部
４０４  計測領域算出部
４０５  計測部
４０６、４４２  判定部
４０７  出力部
４１０、４３０、４５０、４７０  ハードディスク
４１１  画像データ記録部
４１２  パラメータファイル記録部
４１３  検査結果記録部
４１４  ＱＣ用プログラム記録部
４２１  ＱＣ演算部
４２２  付加情報出力部
４３１  ＱＣツール記録部
４３２  付加情報記録部
４４１  判定基準変更部
４５１、４７１  判定基準補正用プログラム記録部
４５２、４７２  判定基準記録部
４６１  画像補正部
５００  ＲＩＳ
５１０  ＨＩＳ
５２０  インターネット
５３０  メンテナンスセンタ
５４０  通信制御部
５５０  外部装置
【図１】
2004298617.tif 000004
【図２】
2004298617.tif 000005
【図３】
2004298617.tif 000006
【図４】
2004298617.tif 000007
【図５】
2004298617.tif 000008
【図６】
2004298617.tif 000009
【図７】
2004298617.tif 000010
【図８】
2004298617.tif 000011
【図９】
2004298617.tif 000012
【図１０】
2004298617.tif 000013
【図１１】
2004298617.tif 000014
【図１２】
2004298617.tif 000015
【図１３】
2004298617.tif 000016
【図１４】
2004298617.tif 000017
【図１５】
2004298617.tif 000018
【図１６】
2004298617.tif 000019
【図１７】
2004298617.tif 000020
【図１８】
2004298617.tif 000021
【図１９】
2004298617.tif 000022